(57)【要約】【課題】  画像表示装置において、良好な画像表示と低消費電力性とを両立させる。【解決手段】  画像表示装置は、複数の異なる構成をなすデータ信号線駆動回路ＳＤ１、ＳＤ２および走査信号線駆動回路ＧＤ１、ＧＤ２を具備している。それぞれのデータ信号線駆動回路または走査信号線駆動回路は、表示可能なフォーマットが異なっている。入力される映像の種類や使用環境に応じて、動作させる駆動回路を切り替えることによって、最適な表示フォーマットでの表示が可能となり、かつ、消費電力の低減も実現される。また、複数の駆動回路を用いて時間差をつけて信号ラインに映像信号を書き込むことにより、画像の上書きをすることができるので、映像信号を外部で信号処理することなく、スーパーインポーズ表示が可能となる。【選択図】  図５
2006251820.tif 000002
【特許請求の範囲】
【請求項１】
画像を表示する複数の画素からなる画素アレイと、該画素アレイに映像信号を供給するデータ信号線駆動回路と、該画素への映像信号の書き込みを制御する走査信号線駆動回路と、該データ信号線駆動回路と該走査信号線駆動回路にタイミング信号を供給するタイミング回路と、該データ信号線駆動回路に映像信号を供給する映像信号処理回路とを有する画像表示装置において、
上記データ信号線駆動回路または走査信号線駆動回路のうちの少なくとも一方の駆動回路について、表示階調が互いに異なる表示フォーマットに適合した全画面駆動可能な駆動回路を複数個備え、入力映像データの表示階調に係るフォーマットに対応して該駆動回路を切り替えることにより、互いに異なる表示フォーマットに対応した表示形態の映像を表示できるようにしたことを特徴とする画像表示装置。
【請求項２】
画像を表示する複数の画素からなる画素アレイと、該画素アレイに映像信号を供給するデータ信号線駆動回路と、該画素への映像信号の書き込みを制御する走査信号線駆動回路と、該データ信号線駆動回路と該走査信号線駆動回路にタイミング信号を供給するタイミング回路と、該データ信号線駆動回路に映像信号を供給する映像信号処理回路とを有する画像表示装置において、
上記データ信号線駆動回路または走査信号線駆動回路のうちの少なくとも一方の駆動回路について、一方は中間調表示、他方は２値表示である、互いに異なる表示フォーマットに適合した全画面駆動可能な駆動回路を複数個備え、入力映像データの中間調表示／２値表示に係るフォーマットに対応して該駆動回路を切り替えることにより、互いに異なる表示フォーマットに対応した表示形態の映像を表示できるようにしたことを特徴とする画像表示装置。
【請求項３】
画像を表示する複数の画素からなる画素アレイと、該画素アレイに映像信号を供給するデータ信号線駆動回路と、該画素への映像信号の書き込みを制御する走査信号線駆動回路と、該データ信号線駆動回路と該走査信号線駆動回路にタイミング信号を供給するタイミング回路と、該データ信号線駆動回路に映像信号を供給する映像信号処理回路とを有する画像表示装置において、
上記データ信号線駆動回路または走査信号線駆動回路のうちの少なくとも一方の駆動回路について、一方がアナログ信号、他方がデジタル信号である、互いに異なる表示フォーマットに適合した全画面駆動可能な駆動回路を複数個備え、入力映像データのアナログ信号／デジタリ信号に係るフォーマットに対応して該駆動回路を切り替えることにより、互いに異なる表示フォーマットに対応した表示形態の映像を表示できるようにしたことを特徴とする画像表示装置。
【請求項４】
画像を表示する複数の画素からなる画素アレイと、該画素アレイに映像信号を供給するデータ信号線駆動回路と、該画素への映像信号の書き込みを制御する走査信号線駆動回路と、該データ信号線駆動回路と該走査信号線駆動回路にタイミング信号を供給するタイミング回路と、該データ信号線駆動回路に映像信号を供給する映像信号処理回路とを有する画像表示装置において、
上記データ信号線駆動回路または走査信号線駆動回路のうちの少なくとも一方の駆動回路について、一方は画像データ、他方はテキストデータである、互いに異なる表示フォーマットに適合した全画面駆動可能な駆動回路を複数個備え、入力映像データの画像データ／テキストデータに係るフォーマットに対応して該駆動回路を切り替えることにより、互いに異なる表示フォーマットに対応した表示形態の映像を表示できるようにしたことを特徴とする画像表示装置。
【請求項５】
画像を表示する複数の画素からなる画素アレイと、該画素アレイに映像信号を供給するデータ信号線駆動回路と、該画素への映像信号の書き込みを制御する走査信号線駆動回路と、該データ信号線駆動回路と該走査信号線駆動回路にタイミング信号を供給するタイミング回路と、該データ信号線駆動回路に映像信号を供給する映像信号処理回路とを有する画像表示装置において、
上記データ信号線駆動回路または走査信号線駆動回路のうちの少なくとも一方の駆動回路について、一方は自然画データ、他方は図形データである、互いに異なる表示フォーマットに適合した全画面駆動可能な駆動回路を複数個備え、入力映像データの自然画データ／図形データに係るフォーマットに対応して該駆動回路を切り替えることにより、互いに異なる表示フォーマットに対応した表示形態の映像を表示できるようにしたことを特徴とする画像表示装置。
【請求項６】
上記互いに異なる表示フォーマットに適合した全画面駆動可能な駆動回路が複数個備えられた上記少なくとも一方の駆動回路について、
該複数個の駆動回路のうちで、少なくとも同一フレーム期間においては、同一の駆動回路を駆動させることを特徴とする請求項１ないし５のいずれかに記載の画像表示装置。
【請求項７】
上記互いに異なる表示フォーマットに適合した全画面駆動可能な駆動回路が複数個備えられた上記少なくとも一方の駆動回路について、
該複数個の駆動回路のうちで、同一フレーム期間内において、駆動させる駆動回路を切り替えることを特徴とする請求項１ないし５のいずれかに記載の画像表示装置。
【請求項８】
上記互いに異なる表示フォーマットに適合した全画面駆動可能な駆動回路が複数個備えられた上記少なくとも一方の駆動回路について、
該複数個の駆動回路のうちで、少なくとも２つは、画面内の異なる領域にそれぞれ画像データを書き込むことを特徴とする請求項１ないし５、または７のいずれかに記載の画像表示装置。
【請求項９】
上記互いに異なる表示フォーマットに適合した全画面駆動可能な駆動回路が複数個備えられた上記データ信号線駆動回路について、
該複数個の駆動回路のうちで、少なくとも２つは、同一フレーム期間内において、画面内の少なくとも一部の、同一の領域に画像データを書き込むことを特徴とする請求項１ないし５のいずれかに記載の画像表示装置。
【請求項１０】
該複数個の駆動回路のうちで、少なくとも２つが、同時に動作することを特徴とする請求項９に記載の画像表示装置。
【請求項１１】
該複数個の駆動回路のうちで、少なくとも１つは、同一フレーム期間内において、他の１つによって書き込まれた画像に上書きして画像データを書き込むことを特徴とする請求項９または１０に記載の画像表示装置。
【請求項１２】
該複数個の駆動回路のうちで、少なくとも１つは、水平走査期間単位で画像の上書きを行うことを特徴とする請求項１１に記載の画像表示装置。
【請求項１３】
該複数個の駆動回路のうちで、少なくとも１つは、各水平走査期間内の一部の期間のみで画像の上書きを行うことを特徴とする請求項１１に記載の画像表示装置。
【請求項１４】
上記互いに異なる表示フォーマットに適合した全画面駆動可能な駆動回路が複数個備えられた上記データ信号線駆動回路について、
該複数個の駆動回路のうちで、少なくとも１つは、各水平走査期間の帰線期間内に画像データを書き込むことを特徴とする請求項１ないし１３のいずれかに記載の画像表示装置。
【請求項１５】
上記表示解像度が互いに異なる表示フォーマットに適合した全画面駆動可能な駆動回路が複数個備えられた上記データ信号線駆動回路について、
該複数個の駆動回路のうちで、少なくとも１つは、他の１つよりも一定期間遅れて画像データを書き込むことを特徴とする請求項１ないし１３のいずれかに記載の画像表示装置。
【請求項１６】
上記互いに異なる表示フォーマットに適合した全画面駆動可能な駆動回路が複数個備えられた上記少なくとも一方の駆動回路について、
該複数個の駆動回路は、画素アレイに対して互いに反対側に配置されていることを特徴とする請求項１ないし７のいずれかに記載の画像表示装置。
【請求項１７】
上記互いに異なる表示フォーマットに適合した全画面駆動可能な駆動回路が複数個備えられた上記少なくとも一方の駆動回路について、
該複数個の駆動回路は、画素アレイに対して同じ側に配置されていることを特徴とする請求項１ないし７のいずれかに記載の画像表示装置。
【請求項１８】
上記互いに異なる表示フォーマットに適合した全画面駆動可能な駆動回路が複数個備えられた上記少なくとも一方の駆動回路について、
該複数個の駆動回路は、それぞれ、その一部の回路が共通であることを特徴とする請求項１または１７に記載の画像表示装置。
【請求項１９】
上記互いに異なる表示フォーマットに適合した全画面駆動可能な駆動回路が複数個備えられた上記少なくとも一方の駆動回路について、
外部より入力される信号により、該複数個の駆動回路のいずれを駆動するかを制御することを特徴とする請求項１ないし１８のいずれかに記載の画像表示装置。
【請求項２０】
入力される表示データの種類に応じて、上記の互いに異なる表示形態のうちのいずれかを選択することを特徴とする請求項１ないし１９のいずれかに記載の画像表示装置。
【請求項２１】
使用環境に応じて、上記の互いに異なる表示形態のうちのいずれかを選択することを特徴とする請求項１ないし１９のいずれかに記載の画像表示装置。
【請求項２２】
上記映像信号処理回路は、入力された映像信号を、上記の互いに異なる表示形態としての複数の種類の表示フォーマットに変換することを特徴とする請求項１ないし２１のいずれかに記載の画像表示装置。
【請求項２３】
上記タイミング回路は、入力されたタイミング信号を、上記の互いに異なる表示形態としてのフォーマットに対応した信号に変換することを特徴とする請求項１ないし２１のいずれかに記載の画像表示装置。
【請求項２４】
上記タイミング回路は、外部からの制御信号を受けて、タイミング信号の供給先を切り替えるタイミング信号供給先切り替え手段を具備することを特徴とする請求項１ないし２１のいずれかに記載の画像表示装置。
【請求項２５】
上記映像信号処理回路は、外部からの制御信号を受けて、映像信号の供給先を切り替える映像信号供給先切り替え手段を具備することを特徴とする請求項１ないし２１のいずれかに記載の画像表示装置。
【請求項２６】
使用環境を検知する検知手段と、
上記検知手段からの信号に基づいて上記表示形態を切り替える表示形態切り替え手段とを具備することを特徴とする請求項１ないし２５のいずれかに記載の画像表示装置。
【請求項２７】
入力される映像信号の種類を判別する映像種類判別手段と、
上記映像種類判別手段からの信号に基づいて上記表示形態を切り替える表示形態切り替え手段とを具備することを特徴とする請求項１ないし２５のいずれかに記載の画像表示装置。
【請求項２８】
上記互いに異なる表示フォーマットに適合した全画面駆動可能な駆動回路が複数個備えられた上記少なくとも一方の駆動回路について、
該複数個の駆動回路は、それぞれ独立の電源端子および入力端子を備えることを特徴とする請求項１ないし１９のいずれかに記載の画像表示装置。
【請求項２９】
上記互いに異なる表示フォーマットに適合した全画面駆動可能な駆動回路が複数個備えられた上記少なくとも一方の駆動回路について、
該複数個の駆動回路は、電源端子および入力端子の一部が共通化されていることを特徴とする請求項１ないし１９のいずれかに記載の画像表示装置。
【請求項３０】
上記互いに異なる表示フォーマットに適合した全画面駆動可能な駆動回路が複数個備えられた上記少なくとも一方の駆動回路について、
該複数個の駆動回路のうち、動作していない方の駆動回路には、電源の供給を停止することを特徴とする請求項１ないし１９のいずれかに記載の画像表示装置。
【請求項３１】
上記互いに異なる表示フォーマットに適合した全画面駆動可能な駆動回路が複数個備えられた上記少なくとも一方の駆動回路について、
該複数個の駆動回路のうち、表示に供しない方の駆動回路と画素アレイとを電気的に切り離す手段を具備することを特徴とする請求項１ないし１９のいずれかに記載の画像表示装置。
【請求項３２】
上記互いに異なる表示フォーマットに適合した駆動回路が複数個備えられた上記データ信号線駆動回路について、
該複数個の駆動回路のうち、少なくとも一つにおいて、複数のデータ信号線に同一の画像データを書き込むことを特徴とする請求項１ないし５のいずれかに記載の画像表示装置。
【請求項３３】
上記互いに異なる表示フォーマットに適合した駆動回路が複数個備えられた上記データ信号線駆動回路について、
該複数個の駆動回路のうち、少なくとも一つにおいて、水平方向に連続する同一色の複数の画素に対応するデータ信号線に同一の画像データを書き込むことを特徴とする請求項１ないし５のいずれかに記載の画像表示装置。
【請求項３４】
上記互いに異なる表示フォーマットに適合した駆動回路が複数個備えられた上記データ信号線駆動回路について、
該データ信号線駆動回路内に、基準電圧選択回路と中間電位生成回路とを具備しており、
表示階調が少ない時には、上記基準電圧選択回路のみを動作させ、上記中間電位生成回路は動作させず、
一方、表示階調が多い時には、上記基準電圧選択回路および上記中間電位生成回路を共に動作させることを特徴とする請求項１または２に記載の画像表示装置。
【請求項３５】
上記互いに異なる表示フォーマットに適合した駆動回路が複数個備えられた上記データ信号線駆動回路について、
該データ信号線駆動回路内にアンプ回路を具備し、表示階調が少ない時には上記アンプ回路は動作させず、一方、表示階調が多い時には上記アンプ回路を動作させることを特徴とする請求項１、２または３４に記載の画像表示装置。
【請求項３６】
上記互いに異なる表示フォーマットに適合した全画面駆動可能な駆動回路が複数個備えられた上記少なくとも一方の駆動回路について、
該複数個の駆動回路の、いずれにおいても、表示領域の少なくとも一部分には画像データが書き込まれないことを特徴とする請求項１ないし５のいずれかに記載の画像表示装置。
【請求項３７】
上記駆動回路において、各信号線の駆動タイミングに対応する信号を用いて、駆動回路の出力を制御することにより、一部の領域に画像データを書き込まないことを特徴とする請求項３６に記載の画像表示装置。
【請求項３８】
上記駆動回路において、駆動回路の走査を停止するリセット信号を用いて、駆動回路の出力を制御することにより、一部の領域に画像データを書き込まないことを特徴とする請求項３６に記載の画像表示装置。
【請求項３９】
上記駆動回路において、駆動回路の走査を開始するスタート信号を、駆動回路内の走査回路の中間の段から入力することにより、一部の領域に画像データを書き込まないことを特徴とする請求項３６に記載の画像表示装置。
【請求項４０】
上記互いに異なる表示フォーマットに適合した全画面駆動可能な駆動回路が複数個備えられた上記少なくとも一方の駆動回路について、
該駆動回路が、上記画素と同一基板上に形成されていることを特徴とする請求項１ないし３９のいずれかに記載の画像表示装置。
【請求項４１】
上記互いに異なる表示フォーマットに適合した全画面駆動可能な駆動回路が複数個備えられた上記少なくとも一方の駆動回路について、
該駆動回路を構成する能動素子が、多結晶シリコン薄膜トランジスタであることを特徴とする請求項４０に記載の画像表示装置。
【請求項４２】
上記表示解像度が互いに異なる表示フォーマットに適合した全画面駆動可能な駆動回路が複数個備えられた上記少なくとも一方の駆動回路について、
該駆動回路を構成する上記能動素子が、ガラス基板上に、６００℃以下のプロセスで形成されることを特徴とする請求項４１に記載の画像表示装置。
【請求項４３】
画像を表示する複数の画素からなる画素アレイと、該画素アレイに映像信号を供給するデータ信号線駆動回路と、該画素への映像信号の書き込みを制御する走査信号線駆動回路と、該データ信号線駆動回路と該走査信号線駆動回路にタイミング信号を供給するタイミング回路と、該データ信号線駆動回路に映像信号を供給する映像信号処理回路とを有する画像表示装置において、
上記データ信号線駆動回路または走査信号線駆動回路のうちの少なくとも一方の駆動回路について、一方は透過型表示モード、他方は反射型表示モードである、互いに異なる表示モードに適合した全画面駆動可能な駆動回路を複数個備え、入力映像データの透過型表示／反射型表示に係る表示モードに対応して該駆動回路を切り替えることにより、互いに異なる表示モードに対応した表示形態の映像を表示できるようにしたことを特徴とする画像表示装置。
【請求項４４】
出力装置として画像表示装置を備えた電子機器において、
上記画像表示装置が、請求項１ないし４３のいずれかに記載の画像表示装置であることを特徴とする電子機器。
【請求項４５】
外部供給電源により駆動されている期間と、内蔵バッテリーにより駆動されている期間とで、表示フォーマットを切り替えることを特徴とする請求項４４に記載の電子機器。
【請求項４６】
待機時と動作時とで、表示フォーマットを切り替えることを特徴とする請求項４４に記載の電子機器。
【請求項４７】
使用時の周辺の明るさに応じて、表示フォーマットを切り替えることを特徴とする請求項４４に記載の電子機器。
【発明の詳細な説明】
【技術分野】
【０００１】
本発明は、データ信号線駆動回路や走査信号線駆動回路等の駆動回路を備えた画像表示装置およびそれを用いた電子機器に関するものである。
【背景技術】
【０００２】
本発明の対象技術である画像表示装置の例として、ここでは、アクティブマトリクス型液晶表示装置について述べる。ただし、本発明はこれに限定されることなく、他の画像表示装置についても有効なものである。
【０００３】
従来の画像表示装置の一つとして、アクティブ・マトリクス駆動方式の液晶表示装置が知られている。この液晶表示装置は、図９３に示すように、画素アレイと、走査信号線駆動回路ＧＤと、データ信号線駆動回路ＳＤとからなっている。画素アレイには、互いに交差する多数の走査信号線ＧＬと多数のデータ信号線ＳＬとを備えており、隣接する２走査信号線ＧＬと隣接する２データ信号線ＳＬとで包囲された部分に、画素ＰＩＸがマトリクス状に設けられている。データ信号線駆動回路ＳＤは、クロック信号ＳＣＫ等のタイミング信号に同期して、入力された映像信号ＤＡＴをサンプリングし、必要に応じて増幅して、各データ信号線ＳＬに書き込む働きをする。走査信号線駆動回路ＧＤは、クロック信号ＧＣＫ等のタイミング信号に同期して、走査信号線ＧＬを順次選択し、画素ＰＩＸ内にあるスイッチング素子の開閉を制御することにより、各データ信号線ＳＬに書き込まれた映像信号（データ）を各画素ＰＩＸに書き込むとともに、各画素ＰＩＸに書き込まれたデータを保持させる働きをする。
【０００４】
図９３における各画素ＰＩＸは、図９４に示すように、スイッチング素子である電界効果型のトランジスタＳＷと、画素容量（液晶容量ＣＬおよび必要によって付加される補助容量ＣＳよりなる）とによって構成される。図９４において、スイッチング素子であるトランジスタＳＷのドレイン及びソースを介してデータ信号線ＳＬと画素容量の一方の電極とが接続され、トランジスタＳＷのゲートは走査信号線ＧＬに接続され、画素容量の他方の電極は全画素に共通の共通電極線に接続されている。そして、各液晶容量ＣＬに印加される電圧により、液晶の透過率または反射率が変調され、表示に供する。
【０００５】
次に、映像データをデータ信号線に書き込む方式について述べる。データ信号線の駆動方式としては、アナログ方式とデジタル方式とがある。アナログ方式の中でも、点順次駆動方式と線順次駆動方式とがある。また、デジタル方式の中でも、アンプを具備するものとアンプを具備しないものとがある。
【０００６】
図９５は、点順次方式のデータ信号線駆動回路の例である。点順次駆動方式では、図９５に示すように、映像信号線ＤＡＴに入力された映像信号を、複数のラッチ回路ＦＦから成るシフトレジスタの各ラッチ段の出力パルスＮ（すなわち、Ｎ１、Ｎ２、…）に同期させてサンプリング回路としてのアナログスイッチＡＳを開閉することにより、データ信号線ＳＬに書き込む。ここで、図９５の構成では、隣接する２個のラッチ回路ＦＦの出力信号Ｎの重なりパルスからサンプリング信号Ｓ，／Ｓを生成しており、サンプリング信号の立ち下がり（終端）のタイミングにおける映像信号ＤＡＴが、データ信号線ＳＬに書き込まれることになる。
【０００７】
図９６は、点順次方式のデータ信号線駆動回路の他の例である。図９６においては、カラー表示に対応しており、表示の３原色（Ｒ、Ｇ、Ｂ）に対応する３本の映像信号が駆動回路に入力され、同一のパルス信号Ｓ１、／Ｓ１、・・・により、それぞれ異なるデータ信号線ＳＬ１ｒ、ＳＬ１ｇ、ＳＬ１ｂ、・・・に出力される構成になっている。
【０００８】
また、図９７は、線順次方式のデータ信号線駆動回路の例である。線順次駆動方式では、図９７に示すように、映像信号線ＤＡＴに入力された映像信号を、複数のラッチ回路ＦＦから成るシフトレジスタの各ラッチ段の出力パルスＮに同期させてサンプリング回路ＡＳを開閉することにより取り込んだ後、１水平期間分の信号を同時に次段に転送し、アンプＡＭを介して、データ信号線ＳＬに書き込む。
【０００９】
また、図９８は、アンプを具備しないデジタル方式のデータ信号線駆動回路の例である。この方式では、デジタル映像信号線ＤＩＧに入力されたデジタル信号を、複数のラッチ回路ＦＦから成るシフトレジスタの各ラッチ段の出力パルスＮに同期させてラッチ回路ＬＴに取り込んだ後、１水平期間分の信号を同時に次段に転送し、デジタル−アナログ変換回路ＤＡによりアナログ信号に変換して、データ信号線ＳＬに書き込む。
【００１０】
また、図９９は、アンプを具備するデジタル方式のデータ信号線駆動回路の例である。この方式では、デジタル映像信号線ＤＩＧに入力されたデジタル信号を、複数のラッチ回路ＦＦから成るシフトレジスタの各ラッチ段の出力パルスＮに同期させてラッチ回路ＬＴに取り込んだ後、１水平期間分の信号を同時に次段に転送し、デジタル−アナログ変換回路ＤＡによりアナログ信号に変換し、さらにアンプＡＰで増幅して、データ信号線ＳＬに書き込む。
【００１１】
図１００は、走査信号線駆動回路の例である。図１００に示すように、走査信号線駆動回路においては、クロック信号ＧＣＫに同期して順次転送されるパルス信号と、パルス幅を規定する信号ＧＥＮとの積（ＡＮＤ）信号を走査信号として、走査信号線ＧＬに出力する。上述のように、この走査信号により、映像信号の画素への書き込み及び保持を制御するものである。
【００１２】
図１０１は、図９３の構成に対応するタイミングチャートである。
【００１３】
ところで、近年、液晶表示装置の小型化や高解像度化、実装コストの低減などのために、表示を司る画素アレイと駆動回路とを、同一基板上に一体形成する技術が注目を集めている。この様子を図１０２に示す。なお、図中、ＳＵＢは基板であり、ＣＯＭはコモン端子である。このような駆動回路一体型の液晶表示装置では、その基板に透明基板を使う必要がある（現在広く用いられている透過型液晶表示装置を構成する場合）ので、石英基板やガラス基板上に構成することができる多結晶シリコン薄膜トランジスタを能動素子として用いる場合が多い。
【特許文献１】特開平０４‐３０９９９５号公報（公開日：平成４年１１月２日）
【特許文献２】特開平０４‐２０４６２８号公報（公開日：平成４年７月２７日）
【特許文献３】特開平０２‐２４４８８０号公報（公開日：平成２年９月２８日）
【発明の開示】
【発明が解決しようとする課題】
【００１４】
ところで、従来の画像表示装置においては、図９３のように、データ信号線駆動回路や走査信号線駆動回路はそれぞれ１組ずつ配置されているのが一般的である。
【００１５】
したがって、表示する映像のフォーマットは１種類に限定されることが多い。複数のフォーマットの映像を表示可能な画像表示装置も存在するが、それは、外部回路で表示装置に入力する信号（制御信号や映像信号）を変換しているのに過ぎず、表示装置自体の駆動はほとんど同じである。すなわち、どのようなフォーマットの映像を表示する場合においても、同一の回路（データ信号線駆動回路および走査信号線駆動回路）が動作するので、消費電力は殆ど変わらないことになる。
【００１６】
ところで、近年、携帯機器の使用可能時間の長時間化の要求に伴い、表示装置に対しても低消費電力化の要求が強くなってきている。ここで、携帯機器においては、常に使用状態にあるとは限らず、その大部分の時間は待機状態であることが多い。また、使用時と待機時とでは、表示する映像やフォーマットが異なることが多い。例えば、待機時には、メニュー画面や時刻などを表示できればよく、精細度や表示色数などは低くても良い場合がある。むしろ、低消費電力化による使用時間の長時間化が重要である。一方、使用時には、大量の文書や図形、写真などの画像を表示することも多く、高品位の表示が求められる。このときには、携帯機器の他の部分（例えば、通信モジュールや入力インターフェース部、演算処理部など）での消費電力が大きくなるので、表示モジュールでの消費電力の比率は小さくなる。したがって、使用時における低消費電力化への要求は待機時ほど強くはないのが一般的である。
【００１７】
また、駆動回路が１つしかない従来構成においては、画像表示装置に複数の画像データを重ねて表示させようとする場合、あらかじめ合成した画像データとして、画像表示装置に入力する必要がある。そのため、外部に、複数の画像を合成する画像処理回路を設ける必要がある。
【００１８】
本発明は、上記課題に鑑みなされたものであり、その目的は、使用時と待機時とで、それぞれの要求に合った駆動が可能な画像表示装置およびそれを用いた電子機器を提供することにある。また、複数の画像データを、あらかじめ合成することなく、重ねて表示することが可能な画像表示装置およびそれを用いた電子機器を提供することにある。
【課題を解決するための手段】
【００１９】
上記の課題を解決するため、本発明の画像表示装置は、画像を表示する複数の画素からなる画素アレイと、該画素アレイに映像信号を供給するデータ信号線駆動回路と、該画素への映像信号の書き込みを制御する走査信号線駆動回路と、該データ信号線駆動回路と該走査信号線駆動回路にタイミング信号を供給するタイミング回路と、該データ信号線駆動回路に映像信号を供給する映像信号処理回路とを有する画像表示装置において、上記データ信号線駆動回路または走査信号線駆動回路のうちの少なくとも一方の駆動回路について、表示階調が互いに異なる表示フォーマットに適合した全画面駆動可能な駆動回路を複数個備え、入力映像データの表示階調に係るフォーマットに対応して該駆動回路を切り替えることにより、互いに異なる表示フォーマットに対応した表示形態の映像を表示できるようにしたことを特徴としている。
【００２０】
また、本発明の画像表示装置は、上記データ信号線駆動回路または走査信号線駆動回路のうちの少なくとも一方の駆動回路について、一方は中間調表示、他方は２値表示である、互いに異なる表示フォーマットに適合した全画面駆動可能な駆動回路を複数個備え、入力映像データの中間調表示／２値表示に係るフォーマットに対応して該駆動回路を切り替えることにより、互いに異なる表示フォーマットに対応した表示形態の映像を表示できるようにしたことを特徴としている。
【００２１】
また、本発明の画像表示装置は、上記データ信号線駆動回路または走査信号線駆動回路のうちの少なくとも一方の駆動回路について、一方がアナログ信号、他方がデジタル信号である、互いに異なる表示フォーマットに適合した全画面駆動可能な駆動回路を複数個備え、入力映像データのアナログ信号／デジタリ信号に係るフォーマットに対応して該駆動回路を切り替えることにより、互いに異なる表示フォーマットに対応した表示形態の映像を表示できるようにしたことを特徴としている。
【００２２】
また、本発明の画像表示装置は、上記データ信号線駆動回路または走査信号線駆動回路のうちの少なくとも一方の駆動回路について、一方は画像データ、他方はテキストデータである、互いに異なる表示フォーマットに適合した全画面駆動可能な駆動回路を複数個備え、入力映像データの画像データ／テキストデータに係るフォーマットに対応して該駆動回路を切り替えることにより、互いに異なる表示フォーマットに対応した表示形態の映像を表示できるようにしたことを特徴としている。
また、本発明の画像表示装置は、上記データ信号線駆動回路または走査信号線駆動回路のうちの少なくとも一方の駆動回路について、一方は自然画データ、他方は図形データである、互いに異なる表示フォーマットに適合した全画面駆動可能な駆動回路を複数個備え、入力映像データの自然画データ／図形データに係るフォーマットに対応して該駆動回路を切り替えることにより、互いに異なる表示フォーマットに対応した表示形態の映像を表示できるようにしたことを特徴としている。
【００２３】
このように、構成の異なるデータ信号線駆動回路を複数個備えることにより、異なる表示フォーマットで映像を表示することができる。すなわち、複数の表示フォーマットに適合したデータ信号線駆動回路を予め備えておき、使用者の要望や入力信号の種類、周囲の環境に対応して、動作させるデータ信号線駆動回路を選択することによって、目的に合ったフォーマットでの映像表示が可能となる。
【００２４】
また、データ信号線駆動回路を複数個備え、それぞれのデータ信号線駆動回路より画像データを画素アレイに書き込むことにより、複数の画像を重ねて表示することが可能となる。
【００２５】
構成の異なる走査信号線駆動回路を複数個備えることにより、異なる表示フォーマットで映像を表示することができる。すなわち、複数の表示フォーマットに適合した走査信号線駆動回路を予め備えておき、使用者の要望や入力信号の種類、周囲の環境に対応して、動作させる走査信号線駆動回路を選択することによって、目的に合ったフォーマットでの映像表示が可能となる。
【００２６】
あるフォーマットの画像を表示するために、複数のデータ信号線駆動回路のうちのいずれか一つから画像データを画素アレイに書き込む場合には、他のデータ信号線駆動回路は表示には無関係である。その場合、それらのデータ信号線駆動回路の動作を停止させておくことにより、消費電力の削減が図られる。
【００２７】
あるフォーマットの画像を表示するために、複数の走査信号線駆動回路のうちのいずれか一つを駆動して画像データを画素アレイに書き込む場合には、他の走査信号線駆動回路は表示には無関係である。その場合、それらの走査信号線駆動回路の動作を停止させておくことにより、消費電力の削減が図られる。
【００２８】
また、本発明の画像表示装置は、上記画像表示装置において、少なくとも一部分が複数個備えられた上記駆動回路について、少なくとも同一フレーム期間においては、同一の駆動回路を駆動させることを特徴としている。
【００２９】
同一フレーム期間内は同一のデータ信号線駆動回路を駆動させることにより、各フレームごとに、その画像の種類に応じて最適なフォーマットでの画像表示が可能となり、高画質と低消費電力性の両立を実現することができる。
【００３０】
同一フレーム期間内は同一の走査信号線駆動回路を駆動させることにより、各フレームごとに、その画像の種類に応じて最適なフォーマットでの画像表示が可能となり、高画質と低消費電力性の両立を実現することができる。
【００３１】
また、本発明の画像表示装置は、上記画像表示装置において、少なくとも一部分が複数個備えられた上記駆動回路について、同一フレーム期間内において、駆動させる駆動回路を切り替えることを特徴としている。
【００３２】
フレーム期間内で駆動させるデータ信号線駆動回路を切り替えることにより、１画面の中で種類の異なる画像を表示する場合においても、画面内のそれぞれの領域で最適なフォーマットでの画像表示が可能となり、高画質と低消費電力性の両立を実現することができる。
【００３３】
フレーム期間内で駆動させる走査信号線駆動回路を切り替えることにより、１画面の中で種類の異なる画像を表示する場合においても、画面内のそれぞれの領域で最適なフォーマットでの画像表示が可能となり、高画質と低消費電力性の両立を実現することができる。フレーム期間内で駆動させる走査信号線駆動回路を切り替えることは、イネーブル信号により出力を制限したり、あるいは、スタート信号を途中入力したりすることによって実現できる。
【００３４】
また、本発明の画像表示装置は、上記画像表示装置において、少なくとも一部分が複数個備えられた上記駆動回路について、該駆動回路の少なくとも２つは、画面内の異なる領域にそれぞれ画像データを書き込むことを特徴としている。
【００３５】
複数のデータ信号線駆動回路が、画面内のそれぞれ異なる領域に画像データを書き込むことにより、１画面の中で種類の異なる画像を表示する場合においても、画面内のそれぞれの領域で最適なフォーマットでの画像表示が可能となり、高画質と低消費電力性の両立を実現することができる。
【００３６】
複数の走査信号線駆動回路が、画面内のそれぞれ異なる領域に画像データを書き込むことにより、１画面の中で種類の異なる画像を表示する場合においても、画面内のそれぞれの領域で最適なフォーマットでの画像表示が可能となり、高画質と低消費電力性の両立を実現することができる。
【００３７】
また、本発明の画像表示装置は、上記画像表示装置において、上記データ信号線駆動回路の少なくとも一部分を複数個備え、上記データ信号線駆動回路の少なくとも２つは、同一フレーム期間内において、画面内の少なくとも一部の、同一の領域に画像データを書き込むことを特徴としている。
【００３８】
複数のデータ信号線駆動回路が、同一フレーム期間内において、画面内の同一領域に画像データを書き込むことにより、画像の上書き（スーパーインポーズ）が実現される。すなわち、ある画像データを書き込んだ後、同じ表示領域に別の画像データを上書きすることが、外部の画像処理回路を介することなく実現できる。これにより、システムの簡略化や低コスト化、および低消費電力化が可能となる。
【００３９】
また、本発明の画像表示装置は、上記画像表示装置において、上記複数のデータ信号線駆動回路の少なくとも２つが同時に動作することを特徴としている。
【００４０】
複数のデータ信号線駆動回路が同時に動作することにより、いずれのデータ信号線駆動回路からの画像データをも表示させることができ、１画面内でフォーマットの異なる画像表示を実現することや、画像の上書きを実現することができる。
【００４１】
また、本発明の画像表示装置は、上記画像表示装置において、上記複数のデータ信号線駆動回路の少なくとも１つは、同一フレーム期間内において、他のデータ信号線駆動回路によって書き込まれた画像に上書きして画像データを書き込むことを特徴としている。
【００４２】
あるデータ信号線駆動回路によって書き込まれた画像上に、他のデータ信号線駆動回路を用いて上書きして画像データを書き込むことにより、画像の合成を、外部の画像処理回路なしに実現することが可能となる。これにより、システムの簡略化や低コスト化、低消費電力化が可能となる。
【００４３】
また、本発明の画像表示装置は、上記画像表示装置において、上記複数のデータ信号線駆動回路の少なくとも１つは、水平走査期間単位で画像の上書きを行うことを特徴としている。
【００４４】
水平走査期間単位で画像の上書きを行うことにより、上書きを司るデータ信号線駆動回路の駆動を単純化できる。すなわち、上書きを行うラインに対応する表示期間のみ、そのデータ信号線駆動回路を駆動し、他のラインに対応する表示期間は、そのデータ信号線駆動回路を駆動しないようにすればよい。
【００４５】
また、本発明の画像表示装置は、上記画像表示装置において、上記複数のデータ信号線駆動回路の少なくとも１つは、各水平走査期間内の一部の期間のみで画像の上書きを行うことを特徴としている。
【００４６】
水平走査期間内の一部の期間のみで画像の上書きを行うことにより、文字の白抜き（または黒抜き）の部分にのみ上書きを行い、その隙間は上書きを行わないようにすることができるので、文字のスーパーインポーズなどが可能となる。
【００４７】
また、本発明の画像表示装置は、上記画像表示装置において、上記データ信号線駆動回路の少なくとも一部分を複数個備え、上記複数のデータ信号線駆動回路の少なくとも１つは、各水平走査期間の帰線期間内に画像データを書き込むことを特徴としている。
【００４８】
水平走査期間の帰線期間は、通常の書き込み期間よりも時間的に後であるので、データ信号線駆動回路が各水平走査期間の帰線期間内に画像データを書き込むことにより、その表示領域に対応するデータ信号線にすでに画像データが書き込まれている場合にも問題なく画像データを上書きすることができる。
【００４９】
また、本発明の画像表示装置は、上記画像表示装置において、上記データ信号線駆動回路の少なくとも一部分を複数個備え、上記複数のデータ信号線駆動回路の少なくとも１つは、他のデータ信号線駆動回路よりも一定期間遅れて画像データを書き込むことを特徴としている。
【００５０】
あるデータ信号線駆動回路が他のデータ信号線駆動回路よりも一定期間遅れて画像データを書き込むことにより、その表示領域に対応するデータ信号線にすでに画像データが書き込まれている場合にも問題なく画像データを上書きすることができる。
【００５１】
また、本発明の画像表示装置は、上記画像表示装置において、少なくとも一部分が複数個備えられた上記駆動回路について、該駆動回路は、画素アレイに対して互いに反対側に配置されていることを特徴としている。
【００５２】
一般に、データ信号線駆動回路は、画素アレイ（画面領域）の片側に配置されており、それぞれの反対側には駆動回路等は配置されていないことが多い。
【００５３】
上述のように、複数個のデータ信号線駆動回路を備える場合、画素アレイの両側に配置することにより、このスペースを有効利用することができる。
【００５４】
一般に、走査信号線駆動回路は、画素アレイ（画面領域）の片側に配置されており、それぞれの反対側には駆動回路等は配置されていないことが多い。
【００５５】
上述のように、複数個の走査信号線駆動回路を備える場合、画素アレイの両側に配置することにより、このスペースを有効利用することができる。
【００５６】
また、構成の異なる複数の駆動回路を同一辺に配置すると、配線の引き回し（一方の駆動回路からの出力線などが、他方の駆動回路の隙間を通ることになる）が複雑になり、レイアウト面積の増大や、信号線間の干渉による雑音発生・誤動作を引き起こすことになる。これに対し、複数の駆動回路が分離されて配置されると、このようなことが起こらない。
【００５７】
また、本発明の画像表示装置は、上記画像表示装置において、少なくとも一部分が複数個備えられた上記駆動回路について、該駆動回路は、画素アレイに対して同じ側に配置されていることを特徴としている。
【００５８】
複数のデータ信号線駆動回路を、それぞれ画素アレイ（画面領域）に対して同一側の辺に配置することにより、信号配線をまとめることができるため、全体のサイズを小さくすることができる場合がある。
【００５９】
また、信号入力端子や電源端子などを、いずれの駆動回路からも近い位置に持ってくることができるので、長距離配線による信号遅延や波形歪みなどを回避することが可能となる。
【００６０】
複数の走査信号線駆動回路を、それぞれ画素アレイ（画面領域）に対して同一側の辺に配置することにより、信号配線をまとめることができるため、全体のサイズを小さくすることができる場合がある。
【００６１】
また、信号入力端子や電源端子などを、いずれの駆動回路からも近い位置に持ってくることができるので、長距離配線による信号遅延や波形歪みなどを回避することが可能となる。
【００６２】
また、本発明の画像表示装置は、上記画像表示装置において、少なくとも一部分が複数個備えられた上記駆動回路について、該駆動回路は、それぞれ、その一部の回路が共通であることを特徴としている。
【００６３】
複数の構成が異なるデータ信号線駆動回路を備える場合でも、その一部が同一の回路構成を採る場合がある。例えば、表示画像の解像度が変わらない場合などには、信号を順次転送する走査回路（シフトレジスタ回路）などの動作は同じである。したがって、そのような場合には、複数の駆動回路で、一部の回路を共有させることにより、回路規模を小さくすることが可能となる。
【００６４】
複数の構成が異なる走査信号線駆動回路を備える場合でも、その一部が同一の回路構成を採る場合がある。例えば、表示画像の解像度が変わらない場合などには、信号を順次転送する走査回路（シフトレジスタ回路）などの動作は同じである。したがって、そのような場合には、複数の駆動回路で、一部の回路を共有させることにより、回路規模を小さくすることが可能となる。
【００６５】
また、本発明の画像表示装置は、上記画像表示装置において、少なくとも一部分が複数個備えられた上記駆動回路について、外部より入力される信号により、該駆動回路のいずれを駆動するかを制御することを特徴としている。
【００６６】
上述のように複数のデータ信号線駆動回路を備える場合においても、実際に画素アレイを駆動するのは、１つのデータ信号線駆動回路のみである。表示に寄与しないデータ信号線駆動回路を駆動することは無駄であるので、表示を司るデータ信号線駆動回路のみが動作するように外部信号によって制御することが、消費電力の点から有効である。
【００６７】
上述のように複数の走査信号線駆動回路を備える場合においても、実際に画素アレイを駆動するのは、１つの走査信号線駆動回路のみである。表示に寄与しない走査信号線駆動回路を駆動することは無駄であるので、表示を司る走査信号線駆動回路のみが動作するように外部信号によって制御することが、消費電力の点から有効である。
【００６８】
また、本発明の画像表示装置は、上記画像表示装置において、入力される表示データの種類に応じて、上記の互いに異なる表示形態のうちのいずれかを選択することを特徴としている。
【００６９】
画像表示装置が表示する画像の種類は多岐にわたり、例えば、文字テキスト、図形、表・グラフ、写真、動画など様々である。また、その原信号の解像度（精細度）も様々である。これらについて、全て同一の表示モード、表示フォーマットで画像を表示する必然性はない。たとえば、文字テキストのみを表示するときには、中間調表示は必要なく、２値表示だけで充分な場合もある。一方、写真などの画像を表示するときには、高い解像度と多階調（６４ないし２５６階調）の中間調表示を実現することが必要である。また、より鮮明な表示が望まれる写真などに対しては、透過型表示モードを選択し、判読が可能であれば目的を達せられる文字テキスト等に対しては、コントラスト比は小さいが低消費電力化が図られる反射型表示モードを選択するなど、表示モードも切り替えられることが望ましい。
【００７０】
そこで、複数の駆動回路を具備し、表示すべき映像の種類に応じて表示モードや表示フォーマットを変えることにより、入力される表示データ（表示すべき画像の種類）に最適化した表示および駆動が可能となる。
【００７１】
また、本発明の画像表示装置は、上記画像表示装置において、使用環境に応じて、上記の互いに異なる表示形態のうちのいずれかを選択することを特徴としている。
【００７２】
一般に、透過型表示モードは、周囲が暗い環境ではバックライトの効果でより明瞭な表示が得られ、強い外光のもとではその反射光により視認性は大きく劣化する。一方、反射型表示モードは、外光が強い条件下でより見えやすくなり、周囲が暗い環境下では見えにくくなる。また、例えば、反射型表示モードにおいては、コントラスト比が小さいため、表示階調を必要以上に多くすることは意味がない。したがって、表示モードに合わせて、表示フォーマットも最適なものを選ぶことが望ましい。以上のように、周囲の明るさなどの環境に応じて表示モードを切り替えたり、更に、表示モードに対応して表示フォーマットを切り替えたりすることにより、映像の見えやすさと低消費電力性を両立させることが可能となる。
【００７３】
また、本発明の画像表示装置は、上記画像表示装置において、上記映像信号処理回路は、入力された映像信号を、上記の互いに異なる表示形態としての複数の種類の表示フォーマットに変換することを特徴としている。
【００７４】
上述のように、画像表示装置に入力される映像データの種類は様々なものがあるが、その入力信号のフォーマットは同一であることもある。その場合、映像データを、映像の種類に対応したフォーマットに変換してデータ信号線駆動回路に供給することが必要となる。これは、フォーマット変換機能を有する信号処理回路を備えることにより実現される。すなわち、画像表示装置に入力される様々な種類の映像データに対応することができる。
【００７５】
また、本発明の画像表示装置は、上記画像表示装置において、上記タイミング回路は、入力されたタイミング信号を、上記の互いに異なる表示形態としての表示フォーマットに対応した信号に変換することを特徴としている。
【００７６】
映像の種類や周辺環境によって、表示解像度やフレーム周波数などを変えて表示する場合、データ信号線駆動回路や走査信号線駆動回路に供給されるタイミング信号（クロック信号など）を変える必要がある。これは、同期信号や原クロック信号などの原タイミング信号を、表示フォーマットに対応して複数の種類のタイミング信号に変換する機能を備えたタイミング回路を備えることにより実現される。すなわち、映像の種類や周辺環境によって表示解像度やフレーム周波数などを変えて表示する場合にも良好に対応することができる。
【００７７】
また、本発明の画像表示装置は、上記画像表示装置において、上記タイミング回路は、外部からの制御信号を受けて、タイミング信号の供給先を切り替えるタイミング信号供給先切り替え手段を具備することを特徴としている。
【００７８】
上記構成においては、複数のデータ信号線駆動回路または走査信号線駆動回路のうち、それぞれいずれか１個のみが動作する。そのとき、他の動作していない駆動回路には、タイミング信号を供給する必要はない。
【００７９】
したがって、タイミング信号の供給先切り替えのための手段を備え、タイミング信号の不要な供給を停止できるようにすることにより、ノイズ等による誤動作の防止や低消費電力化が図られる。
【００８０】
また、本発明の画像表示装置は、上記画像表示装置において、上記映像信号処理回路は、外部からの制御信号を受けて、映像信号の供給先を切り替える映像信号供給先切り替え手段を具備することを特徴としている。
【００８１】
上記構成においては、複数のデータ信号線駆動回路のうち、いずれか１個のみが動作する。そのとき、他の動作していない駆動回路には、映像信号を供給する必要はない。したがって、映像信号の供給先切り替えのための手段を備え、映像信号の不要な供給を停止できるようにすることにより、ノイズ等による誤動作の防止や低消費電力化が図られる。
【００８２】
また、本発明の画像表示装置は、上記画像表示装置において、使用環境を検知する検知手段と、上記検知手段からの信号に基づいて上記表示形態を切り替える表示形態切り替え手段とを具備することを特徴としている。
【００８３】
上述のように、使用環境に応じて表示モードや表示フォーマットを切り替える際に、使用者がスイッチ等によって切り替えを行ってもよい。しかし、光センサーなどを備えることにより、使用環境を認識して、自動的に最適な表示モードおよび表示フォーマットを選択切り替えすることが可能となる。これにより、使用者自らが機器の制御をする必要がなくなる。
【００８４】
また、本発明の画像表示装置は、上記画像表示装置において、入力される映像信号の種類を判別する映像種類判別手段と、上記映像種類判別手段からの信号に基づいて上記表示形態を切り替える表示形態切り替え手段とを具備することを特徴としている。
【００８５】
上述のように、表示すべき映像の種類（写真、グラフ、文字など）などに対応して表示モードや表示フォーマットを切り替える際に、使用者がスイッチ等によって切り替えを行ってもよい。しかし、映像信号の種類やフォーマットを判別する手段を備えることにより、自動的に映像の種類に対応した最適な表示モードおよび表示フォーマットを選択切り替えすることが可能となる。これにより、使用者自らが機器の制御をする必要がなくなる。
【００８６】
また、本発明の画像表示装置は、上記画像表示装置において、少なくとも一部分が複数個備えられた上記駆動回路について、該駆動回路は、それぞれ独立の電源端子および入力端子を備えることを特徴としている。
【００８７】
上述のように、複数の駆動回路を備える場合、それぞれの駆動回路にタイミング信号や映像信号および電源を供給する必要がある。このとき、特に、駆動回路を画素アレイの両側に配置する場合に、それぞれ独立の電源端子および入力端子を備えることにより、信号線および電源線が互いに交差することが少なくなるので、容量結合による雑音などに起因する動作不良や表示不良などを抑えることが可能となる。
【００８８】
また、本発明の画像表示装置は、上記画像表示装置において、少なくとも一部分が複数個備えられた上記駆動回路について、該駆動回路は、電源端子および入力端子の一部が共通化されていることを特徴としている。
【００８９】
複数のデータ信号線駆動回路または走査信号線駆動回路を備える場合、その駆動方法が異なるため、それぞれの駆動回路においてタイミング信号や映像信号および駆動電源が異なる場合があるが、少なくとも一部の信号や電源については同じ場合も有り得る。このとき、同一信号の端子や同一電圧の電源端子を共通化することにより、端子数の削減および外部での信号切り替えおよび電源供給切り替えの簡略化が図られる。
【００９０】
また、本発明の画像表示装置は、上記画像表示装置において、少なくとも一部分が複数個備えられた上記駆動回路について、該駆動回路のうち、動作していない方の駆動回路には、電源の供給を停止することを特徴としている。
【００９１】
上記構成においては、複数のデータ信号線駆動回路または走査信号線駆動回路のうち、それぞれいずれか１個のみが動作する。そのとき、他の動作していない駆動回路には、電源を供給する必要はない。したがって、複数の駆動回路のそれぞれに対して独立の電源端子を備える構成とし、動作しない駆動回路に対応した電源端子には、電源供給を停止することにより、リーク電流などに起因する電力消費をなくすことが可能となる。
【００９２】
また、本発明の画像表示装置は、上記画像表示装置において、少なくとも一部分が複数個備えられた上記駆動回路について、該駆動回路のうち、表示に供しない方の駆動回路と画素アレイとを電気的に切り離す駆動回路分離手段を具備することを特徴としている。
【００９３】
同一画素アレイを表示可能な複数のデータ信号線駆動回路または走査信号線駆動回路を備える場合、複数の駆動回路から同時に画素アレイに信号（映像信号または走査信号）が供給されると、信号の干渉が生じ、正常な表示が行われない恐れがある。また、一方の駆動回路が動作していない場合でも、信号線と接続されていると、信号の漏れが発生し、表示に悪影響が現れる可能性がある。
【００９４】
したがって、表示に供しないほうの駆動回路と画素アレイとを電気的に切り離す手段を設けることにより、良好な表示が可能な画像表示装置を得ることができる。
【００９５】
また、本発明の画像表示装置は、上記画像表示装置において、上記の互いに異なる表示形態としての複数の表示フォーマットとして、一方は他方よりも高画質であることを特徴としている。
【００９６】
上述のように、１つの画素アレイに対して複数のデータ信号線駆動回路または走査信号線駆動回路を搭載することにより、複数のフォーマットの表示が可能となり、その際に、表示データの種類や使用環境に応じて、それに適した表示モードおよび表示フォーマットを選択することができる。
【００９７】
このとき、高い表示品位（例えば、高解像度、カラー表示、多階調、高フレーム周波数、透過型表示モードなど）を実現するための駆動回路と、品位が相対的に低い表示（低解像度、白黒表示、少階調、低フレーム周波数、反射型表示モードなど）を実現するための駆動回路との両者を搭載することにより、映像の種類や周囲環境に対して最適な表示方法および駆動方法を選択することが可能となる。
【００９８】
また、本発明の画像表示装置は、上記画像表示装置において、上記の互いに異なる表示形態としての複数の表示フォーマットとして、一方は他方よりも低消費電力であることを特徴としている。
【００９９】
一般に、表示品位を高めようとすると、上述のように、高解像度、カラー表示、多階調、高フレーム周波数、透過型表示モードなどを実現する必要があり、その結果、消費電力が増大することが多い。一方、低解像度、白黒表示、少階調、低フレーム周波数、反射型表示モードなどのように、表示品位を抑えると、消費電力は低減される。
【０１００】
このように、表示データの種類や使用環境に応じて、それに適した表示モードおよび表示フォーマットを選択することができ、映像の種類や周囲環境に対して最適な表示方法および駆動方法を選択することで、消費電力の最適化を図ることが可能となる。
【０１０１】
また、本発明の画像表示装置は、上記画像表示装置において、上記複数の表示フォーマットとして、一方は他方よりも表示解像度が高いことを特徴としている。
【０１０２】
例えば、元の映像データの解像度が画像表示装置の解像度よりも低い場合には、表示装置の持つ解像度よりも低い解像度での表示でも構わないことがある。その際、複数の画素に同一データを書き込むことになるが、複数のデータ信号線駆動線または複数の走査信号線駆動線に同時に同一信号を入力すればよいので、低解像度表示時に動作する駆動回路のユニット数を削減することができる。これにより、低解像度表示においては、動作回路の規模縮小と配線数の削減、駆動周波数の低減が図られ、画像表示装置の消費電力の削減が実現される。
【０１０３】
また、本発明の画像表示装置は、上記画像表示装置において、上記複数の表示フォーマットとして、一方はカラー表示であり、他方は白黒表示であることを特徴としている。
【０１０４】
例えば、元の映像データが文字や表などのみの場合には、白黒表示（中間調を含んでいても良い）でも構わないことがある。画素アレイが赤・緑・青の画素より構成されてカラー表示に対応している場合にも、赤・緑・青の１組の画素に同一データを書き込むことで白黒表示が可能となる。このとき、複数のデータ信号線駆動線に同時に同一信号を入力すればよいので、白黒表示時に動作する駆動回路のユニット数を削減することができる。これにより、白黒表示においては、動作回路の規模縮小と配線数の削減が図られ、画像表示装置の消費電力の削減が実現される。
【０１０５】
また、本発明の画像表示装置は、上記画像表示装置において、上記データ信号線駆動回路の少なくとも一部分を複数個備え、上記複数のデータ信号線駆動回路の少なくとも一つにおいて、複数のデータ信号線に同一の画像データを書き込むことを特徴としている。
【０１０６】
このように、複数のデータ信号線に同一の画像データを書き込むことにより、画面の水平方向に複数の画素で同一の画像データが表示されるので、この画像表示装置の物理的な解像度よりも低い解像度での表示が可能となる。例えば、隣り合った複数のデータ信号線に同一の画像データを書き込む。
【０１０７】
このとき、データ信号線駆動回路の出力数は減少（例えば、ｎ本のデータ信号線に同一の画像データを書き込む場合には、１／ｎに減少）するので、データ信号線駆動回路の回路規模が縮小するとともに、データ信号およびクロック信号の数または周波数も低下するので、データ信号線駆動回路における消費電力が削減される。
【０１０８】
また、本発明の画像表示装置は、上記画像表示装置において、上記データ信号線駆動回路の少なくとも一部分を複数個備え、上記複数のデータ信号線駆動回路の少なくとも一つにおいて、水平方向に連続する同一色の複数の画素に対応するデータ信号線に同一の画像データを書き込むことを特徴としている。
【０１０９】
このように、水平方向に連続する同一色の複数の画素に対応するデータ信号線、すなわち、同一色の画素のみに注目した場合に水平方向に隣り合っている画素に対応するデータ信号線に、同一の画像データを書き込むことにより、水平方向に連続する同一色の複数の画素で同一の画像データが表示されるので、表示色再現性を損なうことなく、画像表示装置の物理的な解像度よりも低い解像度での表示が可能となる。
【０１１０】
このとき、データ信号線駆動回路の出力数は減少（例えば、ｎ本のデータ信号線に同一の画像データを書き込む場合には、１／ｎに減少）するので、データ信号線駆動回路の回路規模が縮小するとともに、データ信号およびクロック信号の数または周波数も低下するので、データ信号線駆動回路における消費電力が削減される。
【０１１１】
また、本発明の画像表示装置は、上記画像表示装置において、上記データ信号線駆動回路の少なくとも一部分を複数個備え、上記複数のデータ信号線駆動回路の少なくとも一つにおいて、水平方向に連続する３色の複数の画素に対応するデータ信号線に同一の画像データを書き込むことを特徴としている。
【０１１２】
このように、水平方向に連続する３色の複数の画素に対応するデータ信号線に同一の画像データを書き込むことにより、水平方向に連続する３色の複数の画素で同一の画像データが表示されるので、白黒表示（階調表示は可能）での表示が可能となる。
【０１１３】
このとき、データ信号線駆動回路の出力数は１／３に減少（例えば、１画素のユニットがＲＧＢの３原色の画素の場合）するので、データ信号線駆動回路の回路規模が縮小するとともに、データ信号およびクロック信号の数または周波数も低下するので、データ信号線駆動回路における消費電力が削減される。
【０１１４】
また、本発明の画像表示装置は、上記画像表示装置において、表示解像度が低いほうの表示フォーマットにおいて、連続する複数の走査信号線には、異なるタイミングで走査信号が書き込まれ、それぞれの走査期間において、データ信号線駆動回路から同一の画像データが出力されることを特徴としている。
【０１１５】
このように、連続する複数の走査信号線に対応する走査期間に、同一の画像データがデータ信号線に書き込まれることにより、画面の垂直方向に連続する画素で同一の画像データが表示されるので、この画像表示装置の物理的な解像度よりも低い解像度での表示が可能となる。
【０１１６】
このとき、上記水平方向の解像度を低減させる手段と組み合わせることにより、縦横の解像度を同一にすることも可能となる。
【０１１７】
また、本発明の画像表示装置は、上記の画像表示装置において、表示解像度が低いほうの表示フォーマットにおいて、連続する複数の走査信号線には、異なるタイミングで走査信号が書き込まれ、複数の走査期間を含む期間中、データ信号線駆動回路から出力された画像データが、各データ信号線において保持されることを特徴としている。
【０１１８】
このように、連続する複数の走査信号線に対応する走査期間において、データ信号線駆動回路から出力された画像データが、各データ信号線において保持されるようにすることにより、データ信号線駆動回路からの映像データの出力サイクルを低減することができるため、この画像表示装置の物理的な解像度よりも低い解像度での表示が可能となることに加えて、データ信号線駆動回路における、データ信号およびクロック信号の数または周波数が低下するので、データ信号線駆動回路における消費電力が削減される。
【０１１９】
また、本発明の画像表示装置は、上記画像表示装置において、表示解像度が低いほうの表示フォーマットにおいて、連続する複数の走査信号線には、異なるタイミングで走査信号が書き込まれ、それぞれの走査期間において、データ信号線駆動回路から、極性の異なる同一階調に相当する画像データが出力されることを特徴としている。
【０１２０】
このように、連続する複数の走査信号線に対応する走査期間において、データ信号線駆動回路から、極性の異なる同一階調に相当する画像データが出力されるようにすることによって、水平ライン反転駆動法においても、表示品位に支障を来すことなく、物理的な解像度よりも低い解像度での表示が可能となる。
【０１２１】
水平ライン反転駆動法を採用したときにこのようにする理由は以下の通りである。水平ライン反転駆動法で表示する場合に、上記のように、複数の走査信号線に対応する走査期間において画像データをデータ信号線において保持しようとすると、複数ライン毎の反転駆動を取らざるを得ない。しかし、その場合には、上下画素間の寄生容量などのために、同一画像データを書き込んだ複数の画素の電位の差が大きくなるため、表示品位に劣化をきたすことになる。これに対して、１ライン毎に画像データの極性を変えた場合には、上下画素間の寄生容量による画素の電位変動の差は殆ど無くなるため、表示品位の劣化はなくなる。
【０１２２】
また、本発明の画像表示装置は、上記画像表示装置において、表示解像度が低いほうの表示フォーマットにおいて、各データ信号線に書き込まれる画像データは、１フレーム期間中、同一極性であることを特徴としている。
【０１２３】
このように、データ信号線に書き込まれる画像データは、１フレーム期間中、同一極性である場合には、複数の走査信号線に対応する走査期間において画像データをデータ信号線において保持したときにも、上下画素間の寄生容量による画素の電位変動の差は殆ど無くなるため、表示品位の劣化はなくなる。
【０１２４】
したがって、表示品位の劣化なしに、連続する複数の走査信号線に対応する走査期間において、データ信号線駆動回路から出力された画像データが、各データ信号線において保持されるようにする駆動法を採用することが可能となり、データ信号線駆動回路からの映像データの出力サイクルを低減することができるため、この画像表示装置の物理的な解像度よりも低い解像度での表示が可能となることに加えて、データ信号線駆動回路における、データ信号およびクロック信号の数または周波数が低下するので、データ信号線駆動回路における消費電力が削減される。
【０１２５】
また、本発明の画像表示装置は、上記画像表示装置において、上記の複数の表示フォーマットとして、一方は他方よりも表示階調が多いことを特徴としている。
【０１２６】
例えば、元の映像データが文字や表、グラフ、アニメーションなどの場合と、写真などの場合とでは、要求される表示階調が異なる。また、表示モードが反射型表示モードの場合には、透過型表示モード時に比べてコントラスト比が小さいため、階調数をむやみに高めることはあまり意味がない。
【０１２７】
このように、表示すべき画像や表示モードによっては、表示階調が小さくても構わないことがある。これに対応して、複数のデータ信号線駆動回路のうちの一方を、他方に比べて、表示可能階調が少ない構成とすることにより、少階調表示においては、動作回路の規模縮小と配線数・端子数の削減が図られ、画像表示装置の低消費電力化が実現される。
【０１２８】
また、本発明の画像表示装置は、上記画像表示装置において、上記複数の表示フォーマットとして、一方は中間調表示に対応しており、他方は２値表示であることを特徴としている。
【０１２９】
上述のように、表示すべき画像の種類や表示モードによって、異なる階調で表示を行うことは、画像表示装置の低消費電力化を進める上で極めて有効な方法である。
【０１３０】
ここで、元の映像データが文字や表、グラフなどの場合には、中間調表示が不要な場合もあり、その場合には、２値データ（１ビット）での駆動を行うことで、更に低消費電力化を進めることが可能となる。２値データは、処理が複雑で雑音等に弱いアナログ信号ではなく、０／１のロジック信号であり、論理回路のみで処理できる。したがって、駆動回路の回路規模も大幅に縮小され、また、回路内で貫通電流が流れることもないので、大幅な低消費電力化が実現される。
【０１３１】
また、カラー対応の画像表示装置の場合には、２値データでも８色の表示が可能であり、画像表示装置として充分な表現力を有する場合も多い。
【０１３２】
また、本発明の画像表示装置は、上記画像表示装置において、上記データ信号線駆動回路の少なくとも一部分を複数個備え、上記データ信号線駆動回路内に、基準電圧選択回路と中間電位生成回路とを具備しており、表示階調が少ない時には、上記基準電圧選択回路のみを動作させ、上記中間電位生成回路は動作させず、一方、表示階調が多い時には、上記基準電圧選択回路および上記中間電位生成回路を共に動作させることを特徴としている。
【０１３３】
階調数が少ない場合には、外部から供給される複数の基準電圧のいずれか１つを選択することにより、所望の階調電位を得ることができる。しかし、階調数が多い場合には、同様の駆動を行おうとすると、基準電圧線の数が幾何級数的に多くなるため、現実的ではない。その場合、２つの基準電位を元にそれらの中間電位を生成することにより、多階調データを生成することが有効である。
【０１３４】
したがって、表示フォーマットに応じて、中間電位生成回路を動作させて、基準電圧選択回路の出力を中間電位生成回路を介してデータ信号線に出力するか、あるいは、基準電圧選択回路の出力を中間電位生成回路を介さずに直接データ信号線に出力することにより、中間電位生成回路以前の回路を共有化したデータ信号線駆動回路で、複数のフォーマットに対して表示が可能となる。
【０１３５】
また、本発明の画像表示装置は、上記画像表示装置において、上記データ信号線駆動回路の少なくとも一部分を複数個備え、上記データ信号線駆動回路内にアンプ回路を具備し、表示階調が少ない時には上記アンプ回路は動作させず、一方、表示階調が多い時には上記アンプ回路を動作させることを特徴としている。
【０１３６】
上述のように、表示階調数が多い場合は、中間電位生成回路を動作させることが有効である。しかし一般に、中間電位生成回路の駆動力はあまり大きくはないため、特に画面が大きくデータ信号線駆動回路の負荷が大きいときには、中間電位生成回路だけでデータ信号線を駆動する（映像データを書き込む）のが困難な場合がある。このような時には、中間電位生成回路の後段にアンプ回路を付加し、これを用いてデータ信号線に映像データを書き込むことが有効である。
【０１３７】
したがって、表示階調が多いときには、中間電位生成回路およびアンプ回路を動作させて、アンプ回路を用いてデータ信号線を駆動し、表示階調が少ないときには、中間電位生成回路およびアンプ回路を介さずに、データ信号線を駆動することにより、中間電位生成回路以前の回路を共有化したデータ信号線駆動回路で、複数のフォーマットに対して表示が可能となる。
【０１３８】
ここで、大きなアンプ回路は定常電流が流れるので、表示階調が少ないときにアンプ回路を動作させないことは、画像表示装置の低消費電力化に極めて大きな効果がある。
【０１３９】
また、本発明の画像表示装置は、上記画像表示装置において、上記複数の表示フォーマットにおいて、入力される映像信号が、一方はアナログ信号であり、他方はデジタル信号であることを特徴としている。
【０１４０】
画像表示装置の駆動方法として、アナログ駆動方式とデジタル駆動方式がある。アナログ駆動方式では、その表示階調数は基本的に無限であり、外部から入力される映像信号によって決まる。これに対して、デジタル駆動方式では、表示階調数はデータ信号線駆動回路の構成で決まり、より多くの階調で表示を行うためには大規模で複雑な駆動回路が必要となる。一方、デジタル駆動方式では、映像信号を、データ信号線に書き込む直前までデジタル信号で処理するので、扱いが容易であるというメリットがある。
【０１４１】
したがって、表示階調数が多い場合には、アナログ駆動方式を採用する方が望ましく、一方、表示階調数が少ない場合には、デジタル駆動方式を採用する方が望ましいことがある。
【０１４２】
また、本発明の画像表示装置は、上記画像表示装置において、上記複数の表示フォーマットにおいて、入力される映像信号が、一方は画像データであり、他方はテキストデータであることを特徴としている。
【０１４３】
上述のように、一方の駆動回路がカラー表示と多階調表示とに対応しており、他方の駆動回路が白黒表示や２値階調表示に対応している場合、あるいは、一方の駆動回路が他方の駆動回路よりも高解像度表示が可能な場合、映像データの種類に応じて、映像データの入力先や動作させる駆動回路を切り変えることが有効である。
【０１４４】
例えば、インターネット機器や画像受信が可能な携帯電話などにおいては、メール本文のようなテキストデータと、ＷＥＢ表示のような画像データの両方を受信することになるが、メール使用時は扱うデータがテキストであるので、白黒２値表示に対応した駆動回路に映像データを入力して動作させ、ＷＥＢ使用時には扱うデータが画像データであるので、カラーの多階調表示に対応して駆動回路に映像データを入力して動作させることにより、表示品位と消費電力の点において最適な表示を実現することができる。
【０１４５】
また、本発明の画像表示装置は、上記画像表示装置において、上記複数の表示フォーマットにおいて、入力される映像信号が、一方は自然画データであり、他方は図形データであることを特徴としている。
【０１４６】
上述のように、一方の駆動回路が他方の駆動回路よりも多階調表示や高解像度表示が可能な場合、映像データの種類に応じて、映像データの入力先や動作させる駆動回路を切り変えることが有効である。
【０１４７】
例えば、扱うデータが図形データやアニメーションデータの場合には、扱うデータが写真などの場合に比べて、高い解像度や表示階調は必要ない場合があるので、解像度や表示階調の低い表示に対応する方の駆動回路に映像データを入力して動作させることにより、表示品位と消費電力の点において最適な表示を実現することができる。
【０１４８】
また、本発明の画像表示装置は、上記画像表示装置において、上記の互いに異なる表示形態としての複数の表示モードにおいて、一方は透過型表示モードであり、他方は反射型表示モードであることを特徴としている。
【０１４９】
前述のように、使用環境、特に周囲の明るさによって、表示モードを切り替えることが望ましい場合がある。例えば、強い外光下では、透過型表示モードでは、外光の反射により表示は見えにくくなるのに対し、反射型表示モードでは、外光を反射させて表示しているのでより鮮明に見える。一方、暗い環境下では、反射型表示モードではほとんど表示が見えなくなる。
【０１５０】
また、透過型表示モードでは、画像表示装置の下からバックライトで照射する必要があるので、画像表示装置全体としての消費電力は極めて大きくなり、低消費電力化に大きな制約となる。
【０１５１】
これらを踏まえて、使用環境、あるいは、映像の種類に応じて、表示モードを透過型と反射型とで切り替えることにより、表示品位と消費電力の点において最適な表示を実現することができる。
【０１５２】
また、本発明の画像表示装置は、上記画像表示装置において、少なくとも一部が複数個備えられた上記駆動回路について、いずれの駆動回路においても、表示領域の少なくとも一部分には画像データが書き込まれないことを特徴としている。
【０１５３】
このとき、画像データが書き込まれない画像領域に対応する期間は、データ信号線駆動回路および走査信号線駆動回路、更には外部のコントロール回路やビデオ信号処理回路などの一部または全てを停止することができるため、消費電力を大幅に削減することができる。
【０１５４】
また、本発明の画像表示装置は、上記画像表示装置において、各信号線の駆動タイミングに対応する信号を用いて、駆動回路の出力を制御することにより、一部の領域に画像データを書き込まないことを特徴としている。
【０１５５】
例えば、データ信号線駆動回路または走査信号線駆動回路における出力パルス制御信号を非アクティブにすることにより、上記駆動回路の大部分の動作を停止させることができ、これにより、消費電力を大幅に削減することができる。
【０１５６】
また、本発明の画像表示装置は、上記画像表示装置において、駆動回路の走査（スキャン）を停止するリセット信号を用いて、駆動回路の出力を制御することにより、一部の領域に画像データを書き込まないことを特徴としている。
【０１５７】
例えば、データ信号線駆動回路または走査信号線駆動回路におけるクロック信号を停止することにより、上記駆動回路の動作を停止させることができ、これにより、消費電力を大幅に削減することができる。
【０１５８】
また、本発明の画像表示装置は、上記画像表示装置において、駆動回路の走査（スキャン）を開始するスタート信号を、駆動回路内の走査回路の中間の段から入力することにより、一部の領域に画像データを書き込まないことを特徴としている。
【０１５９】
例えば、データ信号線駆動回路または走査信号線駆動回路において、その走査を開始するスタート信号を、途中の段から入力することができるような構成をとることにより、上記駆動回路の一部分のみを動作させることができ、これにより、消費電力を大幅に削減することができる。すなわち、例えば、データ信号線駆動回路であれば、画面内の途中の列に対応する段の走査回路部分にスタート信号が入力される。また例えば、走査信号線駆動回路であれば、画面内の途中の行に対応する段の走査回路部分にスタート信号が入力される。
【０１６０】
また、本発明の画像表示装置は、上記画像表示装置において、少なくとも一部分が複数個備えられた上記駆動回路について、該駆動回路が、上記画素と同一基板上に形成されていることを特徴としている。
【０１６１】
このような構成においては、表示を行うための画素アレイと、画素を駆動するためのデータ信号線駆動回路または走査信号線駆動回路とを、同一基板上に同一工程で製造することができるので、製造コストや実装コストの低減と、実装良品率のアップとを実現することができる。
【０１６２】
特に、上述のように、１つの画素アレイに対して複数の駆動回路を備える場合には、その効果は大きくなる。なぜなら、駆動ＩＣを接続して駆動する場合には、駆動ＩＣのコストや実装コストがその駆動回路の数に比例して大きくなるのに対し、上記構成では、駆動回路の数にかかわりなく同一コストで、複数の駆動回路を形成できるからである。
【０１６３】
また、本発明の画像表示装置は、上記画像表示装置において、少なくとも一部分が複数個備えられた上記駆動回路について、該駆動回路を構成する能動素子が、多結晶シリコン薄膜トランジスタであることを特徴としている。
【０１６４】
このように多結晶シリコン薄膜を用いてトランジスタを形成すると、従来のアクティブマトリクス液晶表示装置に用いられている非晶質シリコン薄膜トランジスタに比べて、極めて駆動力の高い特性が得られるので、上記効果に加えて、画素および上記信号線駆動回路を、容易に、同一基板上に形成することができるというメリットがある。このため、製造コストや実装コストの低減と実装良品率のアップとを実現することができる。
【０１６５】
また、本発明の画像表示装置は、上記画像表示装置において、少なくとも一部分が複数個備えられた上記駆動回路について、該駆動回路を構成する上記能動素子が、ガラス基板上に、６００℃以下のプロセスで形成されることを特徴としている。
【０１６６】
このように、６００℃以下のプロセス温度で、多結晶シリコン薄膜トランジスタを形成する場合には、歪み点温度が低いが、安価でかつ大型化の容易なガラスを、基板として用いることができるので、上記効果に加えて、大型の画像表示装置を低コストで製造することが可能となるというメリットがある。
【０１６７】
また、本発明の電子機器は、出力装置として画像表示装置を備えた電子機器において、上記画像表示装置が、上記いずれかに記載の画像表示装置であることを特徴としている。
【０１６８】
電子機器が、前述のように表示モードや表示フォーマットを切り替え可能な画像表示装置を備えることによって、電子機器の使用状態や周囲環境などに応じて、出力装置の表示品位と、電子機器全体の消費電力削減を両立させることが可能となる。
【０１６９】
また、本発明の電子機器は、上記電子機器において、外部供給電源により駆動されている期間と、内蔵バッテリーにより駆動されている期間とで、表示モードまたは表示フォーマットを切り替えることを特徴としている。
【０１７０】
電子機器を内蔵バッテリーで駆動する場合、長時間の使用を可能にするために、機器全体の消費電力をできるだけ低減することが望ましい。したがって、内蔵バッテリーで駆動している期間は、消費電力の少ない表示モードまたは表示フォーマットで表示を行い、外部電源（ＡＣ電源など）で駆動する場合には、使用時間の懸念がないので、消費電力は大きいが高品位の表示モードまたは表示フォーマットで表示を行うことで、使用状態に対応した最適な表示と使用可能時間の最大化が可能となる。
【０１７１】
また、本発明の電子機器は、上記電子機器において、待機時と動作時とで、表示モードまたは表示フォーマットを切り替えることを特徴としている。
【０１７２】
これにより、動作時の高表示品位と待機時の低消費電力性とを、同時に実現することができ、電子機器の視認性や操作性、利便性が大幅に向上する。
【０１７３】
また、本発明の電子機器は、上記電子機器において、使用時の周辺の明るさに応じて、表示モードまたは表示フォーマットを切り替えることを特徴としている。
【０１７４】
これにより、消費電力を最小に抑えつつ、使用環境にマッチした表示を行うことが可能となり、電子機器の視認性や操作性、利便性が大幅に向上する。
【０１７５】
また、上記本発明の電子機器は、携帯情報端末とすることができる。携帯情報端末は、表示する情報が文字や図形から写真などまで多岐にわたるため、上記特徴を有する画像表示装置を具備することで、電子機器としての視認性や操作性、利便性が大幅に向上する。
【０１７６】
また、表示画像の上書き（スーパーインポーズ機能）が可能な上記画像表示装置を具備することで、携帯情報端末がある処理を行っている時にも、画面の切り替えをすることなく、随時、メール文書などの表示を行うことができる。
【０１７７】
また、上記本発明の電子機器は、携帯電話とすることができる。携帯電話は、近年インターネットへの接続が進み、表示する情報が従来の文字のみから図形や写真などにまで広がっており、上記特徴を有する画像表示装置を具備することで、電子機器としての視認性や操作性、利便性が大幅に向上する。
【０１７８】
また、携帯電話は、待ち受け時間には、時刻や電波状態のみを表示していればよく、その表示には白黒表示や２値表示で充分である。したがって、そのような表示フォーマットに対して低消費電力での表示が可能な上記画像表示装置を具備することにより、携帯電話の待ち受け時間を大幅に延長することができる。
【０１７９】
また、表示画像の上書き（スーパーインポーズ機能）が可能な上記画像表示装置を具備することで、携帯電話で画像など情報量の多い表示を行っている時にも、画面の切り替えをすることなく、随時、メール文書などの表示を行うことができる。
【０１８０】
また、上記本発明の電子機器は、ゲーム機とすることができる。ゲーム機は、そのアプリケーション（ソフトウエア）によって、カラー対応であったり白黒対応であったりし、また、その表示階調も異なっている。また、メニュー画面とゲーム中では、映像の内容（種類）が異なることも多い。したがって、上記特徴を有する画像表示装置を具備することで、電子機器としての視認性や操作性、利便性が大幅に向上する。
【０１８１】
また、表示画像の上書き（スーパーインポーズ機能）が可能な上記画像表示装置を具備することで、ゲームを実行しているときにも、画面の切り替えをすることなく、随時、時刻表示などを行うことができる。
【０１８２】
また、上記本発明の電子機器は、ビデオカメラとすることができる。ビデオカメラは、屋外や室内のどちらの環境でも使用されうる機器である。したがって、その使用環境に合わせて、最適な表示モードおよび表示フォーマットを選択することが可能な上記画像表示装置を具備することで、電子機器としての視認性や操作性、利便性が大幅に向上する。
【０１８３】
また、ビデオカメラの中には、撮影中または再生中に表示画面を利用して機器の制御を行うことが可能になっているものがある。これらのコマンド表示や、時刻表示、カウンター表示などは、２値表示であることが一般的である。したがって、このような機器に、表示画像の上書き（スーパーインポーズ機能）が可能な上記画像表示装置を具備することで、容易に、撮影画像上または再生画像上に制御コマンドを上書き表示することが可能である。
【０１８４】
また、上記本発明の電子機器は、スチルカメラとすることができる。スチルカメラは、屋外や室内のどちらの環境でも使用されうる機器である。したがって、その使用環境に合わせて、最適な表示モードおよび表示フォーマットを選択することが可能な上記画像表示装置を具備することで、電子機器としての視認性や操作性、利便性が大幅に向上する。
【０１８５】
また、スチルカメラの中には、撮影中または再生中に表示画面を利用して機器の制御を行うことが可能になっているものがある。これらのコマンド表示や、時刻表示、カウンター表示などは、２値表示であることが一般的である。したがって、このような機器に、表示画像の上書き（スーパーインポーズ機能）が可能な上記画像表示装置を具備することで、容易に、撮影画像上または再生画像上に制御コマンドを上書き表示することが可能である。
【０１８６】
また、上記本発明の電子機器は、電子書籍とすることができる。電子書籍としては、文字情報のみで記述される本の他に、絵や表を含むもの、アニメーションが主のマンガ、写真集など、様々な種類のものが出版される可能性があり、その内容（書籍データの種類）に応じて表示フォーマットを最適化することが、機器の視認性と低消費電力性とを両立させるために重要である。更に、日本語表記の場合には、フリガナ（ルビ）が付加されることもあり、その場合にはより高い解像度が望まれる。したがって、上記特徴を有する画像表示装置を具備することで、電子機器としての視認性や操作性、利便性が大幅に向上する。
【０１８７】
また、電子書籍においては、表示画像の上書き（スーパーインポーズ機能）が可能な上記画像表示装置を具備することで、容易に、表示中に表示画面を利用して機器の制御や時刻表示などを行うことが可能になる。
【０１８８】
また、上記本発明の電子機器は、ナビゲーションシステムとすることができる。ナビゲーションシステムは、そのソフトウェアによって、表示解像度や表示階調も異なっている。また、最近では、テレビ画像を表示できるようになったものもある。したがって、表示階調が少なくてもよいメニュー画面や、ナビゲーション画面（地図表示）、フルカラー表示が必要なテレビ画像表示など、使用状態に応じて表示フォーマットを最適化することが可能な上記画像表示装置を具備することで、電子機器としての視認性や操作性、利便性が大幅に向上する。
【０１８９】
また、ナビゲーションにおいては、表示画像の上書き（スーパーインポーズ機能）が可能な上記画像表示装置を具備することで、容易に、表示画面を利用して機器の制御や時刻表示、進路表示、マルチ画面表示などを行うことが可能になる。
【０１９０】
また、上記本発明の電子機器は、テレビ受像器とすることができる。テレビ受像機は、屋外や室内のどちらの環境でも使用されうる機器である。したがって、その使用環境に合わせて、最適な表示モードおよび表示フォーマットを選択することが可能な上記画像表示装置を具備することで、電子機器としての視認性や操作性、利便性が大幅に向上する。
【０１９１】
また、テレビ受像器においては、表示画像の上書き（スーパーインポーズ機能）が可能な上記画像表示装置を具備することで、容易に、チャネル表示や時刻表示などを行うことが可能になる。
【０１９２】
また、上記本発明の電子機器は、映像再生機器とすることができる。ビデオテープレコーダーやＤＶＤ（Digital Versatile Disk）などの映像再生機器は、小型化が進んで、ポータブル機器も実現しており、屋外や室内のどちらの環境でも使用されうる機器になっている。したがって、その使用環境に合わせて、最適な表示モードおよび表示フォーマットを選択することが可能な上記画像表示装置を具備することで、電子機器としての視認性や操作性、利便性が大幅に向上する。
【０１９３】
また、映像再生機器においては、表示画像の上書き（スーパーインポーズ機能）が可能な上記画像表示装置を具備することで、映画や語学教材などを再生する場合に、使用者が、容易に字幕表示の有無を切り替えることができる。
【０１９４】
また、上記本発明の電子機器は、コンピュータとすることができる。コンピュータは、表示する情報が文字や図形から写真などまで多岐にわたるため、上記特徴を有する画像表示装置を具備することで、電子機器としての視認性や操作性、利便性が大幅に向上する。
【０１９５】
また、コンピュータにおいては、表示画像の上書き（スーパーインポーズ機能）が可能な上記画像表示装置を具備することで、信号ソースの異なる画像を別のウインドウとして表示できるので、容易にマルチウインドウ表示が可能となる。例えば、コンピュータ画面内に、テレビ画像（ビデオ画像）などのウインドウを表示することが、画像信号処理を行うことなく実現可能となる。
【発明の効果】
【０１９６】
以上のように、本発明の画像表示装置は、画像を表示する複数の画素からなる画素アレイと、該画素アレイに映像信号を供給するデータ信号線駆動回路と、該画素への映像信号の書き込みを制御する走査信号線駆動回路と、該データ信号線駆動回路と該走査信号線駆動回路にタイミング信号を供給するタイミング回路と、該データ信号線駆動回路に映像信号を供給する映像信号処理回路とを有する画像表示装置において、上記データ信号線駆動回路または走査信号線駆動回路のうちの少なくとも一方の駆動回路について、互いに異なる表示フォーマットに適合した全画面駆動可能な駆動回路を複数個備え、入力映像データに係るフォーマットに対応して該駆動回路を切り替えることにより、互いに異なる表示フォーマットに対応した表示形態の映像を表示できるようにしている。
【０１９７】
このように、構成の異なるデータ信号線駆動回路を複数個備えることにより、異なる表示フォーマットで映像を表示することができる。すなわち、複数の表示フォーマットに適合したデータ信号線駆動回路を予め備えておき、使用者の要望や入力信号の種類、周囲の環境に対応して、動作させるデータ信号線駆動回路を選択することによって、目的に合ったフォーマットでの映像表示が可能となる。
【０１９８】
また、本発明の画像表示装置は、上記の構成に加えて、少なくとも一部分が複数個備えられた上記駆動回路について、少なくとも同一フレーム期間においては、同一の駆動回路を駆動させる構成である。
【０１９９】
これにより、同一フレーム期間内は同一の駆動回路を駆動させることにより、各フレームごとに、その画像の種類に応じて最適なフォーマットでの画像表示が可能となり、それゆえ、上記の構成による効果に加えて、高画質と低消費電力性の両立を実現することができるという効果を奏する。
【０２００】
また、本発明の画像表示装置は、上記の構成に加えて、少なくとも一部分が複数個備えられた上記駆動回路について、同一フレーム期間内において、駆動させる駆動回路を切り替える構成である。
【０２０１】
これにより、１画面の中で種類の異なる画像を表示する場合においても、画面内のそれぞれの領域で最適なフォーマットでの画像表示が可能となり、それゆえ、上記の構成による効果に加えて、高画質と低消費電力性の両立を実現することができるという効果を奏する。
【０２０２】
また、本発明の画像表示装置は、上記の構成に加えて、少なくとも一部分が複数個備えられた上記駆動回路について、該駆動回路の少なくとも２つは、画面内の異なる領域にそれぞれ画像データを書き込む構成である。
【０２０３】
これにより、１画面の中で種類の異なる画像を表示する場合においても、画面内のそれぞれの領域で最適なフォーマットでの画像表示が可能となり、それゆえ、上記の構成による効果に加えて、高画質と低消費電力性の両立を実現することができるという効果を奏する。
【０２０４】
また、本発明の画像表示装置は、上記の構成に加えて、上記データ信号線駆動回路の少なくとも一部分を複数個備え、上記データ信号線駆動回路の少なくとも２つは、同一フレーム期間内において、画面内の少なくとも一部の、同一の領域に画像データを書き込む構成である。
【０２０５】
これにより、ある画像データを書き込んだ後、同じ表示領域に別の画像データを上書きすることが、外部の画像処理回路を介することなく実現でき、それゆえ、上記の構成による効果に加えて、これにより、システムの簡略化や低コスト化、低消費電力化が可能となるという効果を奏する。
【０２０６】
また、本発明の画像表示装置は、上記の構成に加えて、上記複数のデータ信号線駆動回路の少なくとも２つが、同時に動作する構成である。
【０２０７】
これにより、複数の駆動回路が同時に動作することにより、いずれのデータ信号線駆動回路からの画像データをも表示させることができ、それゆえ、上記の構成による効果に加えて、１画面内でフォーマットの異なる画像表示を実現することや、画像の上書きを実現することができるという効果を奏する。
【０２０８】
また、本発明の画像表示装置は、上記の構成に加えて、上記複数のデータ信号線駆動回路の少なくとも１つは、同一フレーム期間内において、他のデータ信号線駆動回路によって書き込まれた画像に上書きして画像データを書き込む構成である。
【０２０９】
これにより、画像の合成を、外部の画像処理回路なしに実現することが可能となる。それゆえ、上記の構成による効果に加えて、システムの簡略化や低コスト化、低消費電力化が可能となるという効果を奏する。
【０２１０】
また、本発明の画像表示装置は、上記の構成に加えて、上記複数のデータ信号線駆動回路の少なくとも１つは、水平走査期間単位で画像の上書きを行う構成である。
【０２１１】
これにより、水平走査期間単位で画像の上書きを行うことができ、それゆえ、上記の構成による効果に加えて、上書きを司るデータ信号線駆動回路の駆動を単純化できるという効果を奏する。
【０２１２】
また、本発明の画像表示装置は、上記の構成に加えて、上記複数のデータ信号線駆動回路の少なくとも１つは、各水平走査期間内の一部の期間のみで画像の上書きを行う構成である。
【０２１３】
これにより、水平走査期間内の一部の期間のみで画像の上書きを行うことにより、文字の白抜き（または黒抜き）の部分にのみ上書きを行い、その隙間は上書きを行わないようにすることができ、それゆえ、上記の構成による効果に加えて、文字のスーパーインポーズなどが可能となるという効果を奏する。
【０２１４】
また、本発明の画像表示装置は、上記の構成に加えて、上記データ信号線駆動回路の少なくとも一部分を複数個備え、上記複数のデータ信号線駆動回路の少なくとも１つは、各水平走査期間の帰線期間内に画像データを書き込む構成である。
【０２１５】
これにより、データ信号線駆動回路が各水平走査期間の帰線期間内に画像データを書き込むことにより、上記の構成による効果に加えて、その表示領域に対応するデータ信号線にすでに画像データが書き込まれている場合にも問題なく画像データを上書きすることができるという効果を奏する。
【０２１６】
また、本発明の画像表示装置は、上記の構成に加えて、上記データ信号線駆動回路の少なくとも一部分を複数個備え、上記複数のデータ信号線駆動回路の少なくとも１つは、他のデータ信号線駆動回路よりも一定期間遅れて画像データを書き込む構成である。
【０２１７】
これにより、あるデータ信号線駆動回路が他のデータ信号線駆動回路よりも一定期間遅れて画像データを書き込むことにより、上記の構成による効果に加えて、その表示領域に対応するデータ信号線にすでに画像データが書き込まれている場合にも問題なく画像データを上書きすることができるという効果を奏する。
【０２１８】
また、本発明の画像表示装置は、上記の構成に加えて、少なくとも一部分が複数個備えられた上記駆動回路について、該駆動回路は、画素アレイに対して互いに反対側に配置されている構成である。
【０２１９】
これにより、複数個の駆動回路を備える場合、画素アレイの両側に配置することにより、上記の構成による効果に加えて、このスペースを有効利用することができるという効果を奏する。
【０２２０】
また、本発明の画像表示装置は、上記の構成に加えて、少なくとも一部分が複数個備えられた上記駆動回路について、該駆動回路は、画素アレイに対して同じ側に配置されている構成である。
【０２２１】
これにより、複数の駆動回路を、それぞれ画素アレイ（画面領域）に対して同一側の辺に配置することにより、信号配線をまとめることができるため、上記の構成による効果に加えて、全体のサイズを小さくすることができるという効果を奏する。
【０２２２】
また、信号入力端子や電源端子などを、いずれの駆動回路からも近い位置に持ってくることができるので、上記の構成による効果に加えて、長距離配線による信号遅延や波形歪みなどを回避することが可能となるという効果を奏する。
【０２２３】
また、本発明の画像表示装置は、上記の構成に加えて、少なくとも一部分が複数個備えられた上記駆動回路について、該駆動回路は、それぞれ、その一部の回路が共通である構成である。
【０２２４】
これにより、複数の構成が異なる駆動回路を備える場合でも、その一部が同一の回路構成を採る場合があり、それゆえ、上記の構成による効果に加えて、そのような場合には複数の駆動回路で一部の回路を共有させることにより、回路規模を小さくすることが可能となるという効果を奏する。
【０２２５】
また、本発明の画像表示装置は、上記の構成に加えて、少なくとも一部分が複数個備えられた上記駆動回路について、外部より入力される信号により、該駆動回路のいずれを駆動するかを制御する構成である。
【０２２６】
これにより、実際に画素アレイを駆動するのは、１つの駆動回路のみであり、表示に寄与しない駆動回路を駆動することは無駄であるので、表示を司る駆動回路のみが動作するように外部信号によって制御することにより、上記の構成による効果に加えて、消費電力を抑えることができるという効果を奏する。
【０２２７】
また、本発明の画像表示装置は、上記の構成に加えて、入力される表示データの種類に応じて、上記の互いに異なる表示形態のうちのいずれかを選択する構成である。
【０２２８】
これにより、複数の駆動回路を具備し、表示すべき映像の種類に応じて表示モードや表示フォーマットを変えることにより、上記の構成による効果に加えて、入力される表示データ（表示すべき画像の種類）に最適化した表示および駆動が可能となるという効果を奏する。
【０２２９】
また、本発明の画像表示装置は、上記の構成に加えて、使用環境に応じて、上記の互いに異なる表示形態のうちのいずれかを選択する構成である。
【０２３０】
これにより、周囲の明るさなどの環境に応じて表示モードを切り替えたり、更に、表示モードに対応して表示フォーマットを切り替えたりすることより、上記の構成による効果に加えて、映像の見えやすさと低消費電力性を両立させることが可能となるという効果を奏する。
【０２３１】
また、本発明の画像表示装置は、上記の構成に加えて、上記映像信号処理回路は、入力された映像信号を、上記の互いに異なる表示形態としての複数の種類の表示フォーマットに変換する構成である。
【０２３２】
これにより、映像データを、映像の種類に対応したフォーマットに変換してデータ信号線駆動回路に供給することにより、上記の構成による効果に加えて、画像表示装置に入力される様々な種類の映像データに対応することができるという効果を奏する。
【０２３３】
また、本発明の画像表示装置は、上記の構成に加えて、上記タイミング回路は、入力されたタイミング信号を、上記の互いに異なる表示形態としての表示フォーマットに対応した信号に変換する構成である。
【０２３４】
これにより、同期信号や原クロック信号などの原タイミング信号を、表示フォーマットに対応して複数の種類のタイミング信号に変換することにより、上記の構成による効果に加えて、映像の種類や周辺環境によって表示解像度やフレーム周波数などを変えて表示する場合にも良好に対応することができるという効果を奏する。
【０２３５】
また、本発明の画像表示装置は、上記の構成に加えて、上記タイミング回路は、外部からの制御信号を受けて、タイミング信号の供給先を切り替えるタイミング信号供給先切り替え手段を具備する構成である。
【０２３６】
これにより、タイミング信号の不要な供給を停止できるようにすることにより、上記の構成による効果に加えて、ノイズ等による誤動作の防止や低消費電力化が図られるという効果を奏する。
【０２３７】
また、本発明の画像表示装置は、上記の構成に加えて、上記映像信号処理回路は、外部からの制御信号を受けて、映像信号の供給先を切り替える映像信号供給先切り替え手段を具備する構成である。
【０２３８】
これにより、映像信号の不要な供給を停止できるようにすることにより、上記の構成による効果に加えて、ノイズ等による誤動作の防止や低消費電力化が図られるという効果を奏する。
【０２３９】
また、本発明の画像表示装置は、上記の構成に加えて、使用環境を検知する検知手段と、上記検知手段からの信号に基づいて上記表示形態を切り替える表示形態切り替え手段とを具備する構成である。
【０２４０】
これにより、使用環境を認識して、自動的に最適な表示モードおよび表示フォーマットを選択切り替えすることが可能となるので、上記の構成による効果に加えて、使用者自らが機器の制御をする必要がなくなるという効果を奏する。
【０２４１】
また、本発明の画像表示装置は、上記の構成に加えて、入力される映像信号の種類を判別する映像種類判別手段と、上記映像種類判別手段からの信号に基づいて上記表示形態を切り替える表示形態切り替え手段とを具備する構成である。
【０２４２】
これにより、自動的に映像の種類に対応した最適な表示モードおよび表示フォーマットを選択切り替えすることが可能となるので、上記の構成による効果に加えて、使用者自らが機器の制御をする必要がなくなるという効果を奏する。
【０２４３】
また、本発明の画像表示装置は、上記の構成に加えて、少なくとも一部分が複数個備えられた上記駆動回路について、該駆動回路は、それぞれ独立の電源端子および入力端子を備える構成である。
【０２４４】
これにより、駆動回路を画素アレイの両側に配置する場合に、それぞれ独立の電源端子および入力端子を備えることにより、信号線および電源線が互いに交差することが少なくなるので、上記の構成による効果に加えて、容量結合による雑音などに起因する動作不良や表示不良などを抑えることが可能となるという効果を奏する。
【０２４５】
また、本発明の画像表示装置は、上記の構成に加えて、少なくとも一部分が複数個備えられた上記駆動回路について、該駆動回路は、電源端子および入力端子の一部が共通化されている構成である。
【０２４６】
これにより、同一信号の端子や同一電圧の電源端子を共通化することにより、上記の構成による効果に加えて、端子数の削減および外部での信号切り替えおよび電源供給切り替えの簡略化が図られるという効果を奏する。
【０２４７】
また、本発明の画像表示装置は、上記の構成に加えて、少なくとも一部分が複数個備えられた上記駆動回路について、該駆動回路のうち、動作していないほうの駆動回路には、電源の供給を停止する構成である。
【０２４８】
これにより、複数の駆動回路のそれぞれに対して独立の電源端子を備える構成とし、動作しない駆動回路に対応した電源端子には、電源供給を停止することにより、上記の構成による効果に加えて、リーク電流などに起因する電力消費をなくすことが可能となるという効果を奏する。
【０２４９】
また、本発明の画像表示装置は、上記の構成に加えて、少なくとも一部分が複数個備えられた上記駆動回路について、該駆動回路のうち、表示に供しないほうの駆動回路と画素アレイとを電気的に切り離す駆動回路分離手段を具備する構成である。
【０２５０】
これにより、表示に供しないほうの駆動回路と画素アレイとを電気的に切り離す手段を設けることにより、上記の構成による効果に加えて、良好な表示が可能な画像表示装置を得ることができるという効果を奏する。
【０２５１】
また、本発明の画像表示装置は、上記の構成に加えて、上記データ信号線駆動回路の少なくとも一部分を複数個備え、上記複数のデータ信号線駆動回路の少なくとも一つにおいて、複数のデータ信号線に同一の画像データを書き込む構成である。
【０２５２】
これにより、データ信号線駆動回路の出力数は減少するので、データ信号線駆動回路の回路規模が縮小するとともに、データ信号およびクロック信号の数または周波数も低下する。それゆえ、上記の構成による効果に加えて、データ信号線駆動回路における消費電力を削減することができるという効果を奏する。
【０２５３】
また、本発明の画像表示装置は、上記の構成に加えて、上記データ信号線駆動回路の少なくとも一部分を複数個備え、上記複数のデータ信号線駆動回路の少なくとも一つにおいて、水平方向に連続する同一色の複数の画素に対応するデータ信号線に同一の画像データを書き込む構成である。
【０２５４】
これにより、データ信号線駆動回路の出力数は減少するので、データ信号線駆動回路の回路規模が縮小するとともに、データ信号およびクロック信号の数または周波数も低下する。それゆえ、上記の構成による効果に加えて、データ信号線駆動回路における消費電力を削減することができるという効果を奏する。
【０２５５】
また、本発明の画像表示装置は、上記の構成に加えて、上記複数の表示フォーマットとして、一方は他方よりも表示階調が多い構成である。
【０２５６】
これにより、複数のデータ信号線駆動回路のうちの一方を、他方に比べて、表示可能階調が少ない構成とすることにより、上記の構成による効果に加えて、少階調表示においては、動作回路の規模縮小と配線数・端子数の削減が図られ、画像表示装置の低消費電力化が実現されるという効果を奏する。
【０２５７】
また、本発明の画像表示装置は、上記の構成に加えて、上記複数の表示フォーマットとして、一方は中間調表示に対応しており、他方は２値表示である構成である。
【０２５８】
これにより、表示すべき画像の種類や表示モードによって、異なる階調で表示を行うので、上記の構成による効果に加えて、画像表示装置の低消費電力化を進めることができるという効果を奏する。
【０２５９】
また、本発明の画像表示装置は、上記の構成に加えて、上記データ信号線駆動回路の少なくとも一部分を複数個備え、上記データ信号線駆動回路内に、基準電圧選択回路と中間電位生成回路とを具備しており、表示階調が少ない時には、上記基準電圧選択回路のみを動作させ、上記中間電位生成回路は動作させず、一方、表示階調が多い時には、上記基準電圧選択回路および上記中間電位生成回路を共に動作させる構成である。
【０２６０】
これにより、２つの基準電位を元にそれらの中間電位を生成することにより、多階調データを生成することができるので、上記の構成による効果に加えて、複数のフォーマットに対して表示が可能となるという効果を奏する。
【０２６１】
また、本発明の画像表示装置は、上記の構成に加えて、上記データ信号線駆動回路の少なくとも一部分を複数個備え、上記データ信号線駆動回路内にアンプ回路を具備し、表示階調が少ない時には上記アンプ回路は動作させず、一方、表示階調が多い時には上記アンプ回路を動作させる構成である。
【０２６２】
これにより、中間電位生成回路の後段にアンプ回路を付加し、これを用いてデータ信号線に映像データを書き込むので、上記の構成による効果に加えて、複数のフォーマットに対して表示が可能となるという効果を奏する。
【０２６３】
また、本発明の画像表示装置は、上記の構成に加えて、上記複数の表示フォーマットにおいて、入力される映像信号が、一方はアナログ信号であり、他方はデジタル信号である構成である。
【０２６４】
これにより、表示階調数が多い場合には、アナログ駆動方式を採用する方が望ましく、一方、表示階調数が少ない場合には、デジタル駆動方式を採用することができるので、上記の構成による効果に加えて、いずれの場合にも良好に対応することができるという効果を奏する。
【０２６５】
また、本発明の画像表示装置は、上記の構成に加えて、上記複数の表示フォーマットにおいて、入力される映像信号が、一方は画像データであり、他方はテキストデータである構成である。
【０２６６】
これにより、映像データの種類に応じて、映像データの入力先や動作させる駆動回路を切り変えることにより、上記の構成による効果に加えて、表示品位と消費電力の点において最適な表示を実現することができるという効果を奏する。
【０２６７】
また、本発明の画像表示装置は、上記の構成に加えて、上記複数の表示フォーマットにおいて、入力される映像信号が、一方は自然画データであり、他方は図形データである構成である。
【０２６８】
これにより、映像データの種類に応じて、映像データの入力先や動作させる駆動回路を切り変えることにより、上記の構成による効果に加えて、表示品位と消費電力の点において最適な表示を実現することができるという効果を奏する。
【０２６９】
また、本発明の画像表示装置は、上記の構成に加えて、上記の互いに異なる表示形態としての複数の表示モードにおいて、一方は透過型表示モードであり、他方は反射型表示モードである構成である。
【０２７０】
これにより、使用環境、あるいは、映像の種類に応じて、表示モードを透過型と反射型とで切り替えることにより、上記の構成による効果に加えて、表示品位と消費電力の点において最適な表示を実現することができるという効果を奏する。
【０２７１】
また、本発明の画像表示装置は、上記の構成に加えて、少なくとも一部が複数個備えられた上記駆動回路について、いずれの駆動回路においても、表示領域の少なくとも一部分には画像データが書き込まれない構成である。
【０２７２】
これにより、画像データが書き込まれない画像領域に対応する期間は、データ信号線駆動回路および走査信号線駆動回路、更には外部のコントロール回路やビデオ信号処理回路などの一部または全てを停止することができる。それゆえ、上記の構成による効果に加えて、消費電力を大幅に削減することができるという効果を奏する。
【０２７３】
また、本発明の画像表示装置は、上記の構成に加えて、各信号線の駆動タイミングに対応する信号を用いて、駆動回路の出力を制御することにより、一部の領域に画像データを書き込まない構成である。
【０２７４】
これにより、例えば、データ信号線駆動回路または走査信号線駆動回路における出力パルス制御信号を非アクティブにすることにより、上記駆動回路の大部分の動作を停止させることができる。それゆえ、上記の構成による効果に加えて、消費電力を大幅に削減することができるという効果を奏する。
【０２７５】
また、本発明の画像表示装置は、上記の構成に加えて、駆動回路の走査（スキャン）を停止するリセット信号を用いて、駆動回路の出力を制御することにより、一部の領域に画像データを書き込まない構成である。
【０２７６】
これにより、例えば、データ信号線駆動回路または走査信号線駆動回路におけるクロック信号を停止することにより、上記駆動回路の動作を停止させることができる。それゆえ、上記の構成による効果に加えて、消費電力を大幅に削減することができるという効果を奏する。
【０２７７】
また、本発明の画像表示装置は、上記の構成に加えて、駆動回路の走査（スキャン）を開始するスタート信号を、駆動回路内の走査回路の中間の段から入力することにより、一部の領域に画像データを書き込まない構成である。
【０２７８】
これにより、例えば、データ信号線駆動回路または走査信号線駆動回路において、その走査を開始するスタート信号を、途中の段から入力することができるような構成をとることにより、上記駆動回路の一部分のみを動作させることができる。それゆえ、上記の構成による効果に加えて、消費電力を大幅に削減することができるという効果を奏する。
【０２７９】
また、本発明の画像表示装置は、上記の構成に加えて、少なくとも一部分が複数個備えられた上記駆動回路について、該駆動回路が、上記画素と同一基板上に形成されている構成である。
【０２８０】
これにより、表示を行うための画素アレイと、画素を駆動するためのデータ信号線駆動回路または走査信号線駆動回路とを、同一基板上に同一工程で製造することができるので、上記の構成による効果に加えて、製造コストや実装コストの低減と、実装良品率のアップとを実現することができるという効果を奏する。
【０２８１】
また、本発明の画像表示装置は、上記の構成に加えて、少なくとも一部分が複数個備えられた上記駆動回路について、該駆動回路を構成する能動素子が、多結晶シリコン薄膜トランジスタである構成である。
【０２８２】
これにより、画素および上記信号線駆動回路を、容易に、同一基板上に形成することができるので、上記の構成による効果に加えて、製造コストや実装コストの低減と実装良品率のアップとを実現することができるという効果を奏する。
【０２８３】
また、本発明の画像表示装置は、上記の構成に加えて、少なくとも一部分が複数個備えられた上記駆動回路について、該駆動回路を構成する上記能動素子が、ガラス基板上に、６００℃以下のプロセスで形成される構成である。
【０２８４】
これにより、安価でかつ大型化の容易なガラスを、基板として用いることができるので、上記の構成による効果に加えて、大型の画像表示装置を低コストで製造することが可能となるという効果を奏する。
【０２８５】
また、本発明の電子機器は、出力装置として画像表示装置を備えた電子機器において、上記画像表示装置が、上記いずれかに記載の画像表示装置である構成である。
【０２８６】
これにより、電子機器の使用状態や周囲環境などに応じて、出力装置の表示品位と、電子機器全体の消費電力削減を両立させることが可能となるという効果を奏する。
【０２８７】
また、本発明の電子機器は、上記の構成に加えて、外部供給電源により駆動されている期間と、内蔵バッテリーにより駆動されている期間とで、表示モードまたは表示フォーマットを切り替える構成である。
【０２８８】
これにより、消費電力は大きいが高品位の表示モードまたは表示フォーマットで表示を行うことで、上記の構成による効果に加えて、使用状態に対応した最適な表示と使用可能時間の最大化が可能となるという効果を奏する。
【０２８９】
また、本発明の電子機器は、上記の構成に加えて、待機時と動作時とで、表示モードまたは表示フォーマットを切り替える構成である。
【０２９０】
これにより、動作時の高表示品位と待機時の低消費電力性とを、同時に実現することができるので、上記の構成による効果に加えて、電子機器の視認性や操作性、利便性が大幅に向上するという効果を奏する。
【０２９１】
また、本発明の電子機器は、上記の構成に加えて、使用時の周辺の明るさに応じて、表示モードまたは表示フォーマットを切り替える構成である。
【０２９２】
これにより、消費電力を最小に抑えつつ、使用環境にマッチした表示を行うことが可能となり、それゆえ、上記の構成による効果に加えて、電子機器の視認性や操作性、利便性が大幅に向上するという効果を奏する。
【発明を実施するための最良の形態】
【０２９３】
本発明の実施の一形態について図１ないし図９２に基づいて説明すれば、以下の通りである。
【０２９４】
本実施の形態に係る画像表示装置は、複数個の駆動回路を備え、映像データの種類や動作環境に対応して、最適な表示モードや表示フォーマットに切り替えることにより、高表示品位と低消費電力とを両立させることができ、また、複数の駆動回路を同時に動作させることにより、複数の画像データを重ねて表示させることができるものである。
【０２９５】
本実施の形態においては、本発明の対象技術である画像表示装置の例として、ここでは、アクティブマトリクス型液晶表示装置について説明する。ただし、本発明はこれに限定されることなく、他の画像表示装置についても有効なものである。
【０２９６】
図１ないし図７は、本発明に係る画像表示装置の構成例を示したブロック図である。
【０２９７】
図１においては、画像表示装置は、画素アレイＡＲＹと、データ信号線を駆動するデータ信号線駆動回路（ソースドライバ）ＳＤ１およびＳＤ２と、走査信号線を駆動する走査信号線駆動回路（ゲートドライバ）ＧＤと、タイミング信号を供給するタイミング回路ＣＴＬと、映像信号を供給する映像信号処理回路ＶＩＤから成っている。ここで、データ信号線駆動回路ＳＤ１およびＳＤ２は、画素アレイに対して同一側に配置されている。以下、データ信号線をＳＬと総称し、個々には、ＳＬ１、ＳＬ２、…などのように表す。同様に、走査信号線をＧＬと総称し、個々には、ＧＬ１、ＧＬ２、…などのように表す。ＳＣＫ１、ＳＣＫ２、ＧＣＫはクロック信号であり、ＳＳＴ１、ＳＳＴ２、ＧＳＴはスタート信号である。ＧＥＮはイネーブル信号である。ＤＡＴ１、ＤＡＴ２は映像信号である。
【０２９８】
また、図２においては、画像表示装置は、画素アレイＡＲＹと、データ信号線駆動回路ＳＤと、走査信号線駆動回路ＧＤ１およびＧＤ２と、タイミング信号を供給するタイミング回路ＣＴＬと、映像信号を供給する映像信号処理回路ＶＩＤから成っている。ここで、走査信号線駆動回路ＧＤ１およびＧＤ２は、画素アレイに対して同一側に配置されている。ＳＣＫ、ＧＣＫ１、ＧＣＫ２はクロック信号であり、ＳＳＴ、ＧＳＴ１、ＧＳＴ２はスタート信号である。ＧＥＮ１、ＧＥＮ２はイネーブル信号である。ＤＡＴは映像信号である。ＧＣＳ１、ＧＣＳ２は選択信号（いずれの走査信号線駆動回路を動作させるかを制御する信号）である。
【０２９９】
また、図３においては、画像表示装置は、画素アレイＡＲＹと、データ信号線駆動回路ＳＤ１およびＳＤ２と、走査信号線駆動回路ＧＤと、タイミング信号を供給するタイミング回路ＣＴＬと、映像信号を供給する映像信号処理回路ＶＩＤから成っている。ここで、データ信号線駆動回路ＳＤ１およびＳＤ２は、画素アレイに対して反対側に配置されている。
【０３００】
また、図４においては、画像表示装置は、画素アレイＡＲＹと、データ信号線駆動回路ＳＤと、走査信号線駆動回路ＧＤ１およびＧＤ２と、タイミング信号を供給するタイミング回路ＣＴＬと、映像信号を供給する映像信号処理回路ＶＩＤから成っている。ここで、走査信号線駆動回路ＧＤ１およびＧＤ２は、画素アレイに対して反対側に配置されている。
【０３０１】
また、図５においては、画像表示装置は、画素アレイＡＲＹと、データ信号線駆動回路ＳＤ１およびＳＤ２と、走査信号線駆動回路ＧＤ１およびＧＤ２と、タイミング信号を供給するタイミング回路ＣＴＬと、映像信号を供給する映像信号処理回路ＶＩＤから成っている。ここで、データ信号線駆動回路ＳＤ１およびＳＤ２と、走査信号線駆動回路ＧＤ１およびＧＤ２は、それぞれ画素アレイに対して反対側に配置されている。
【０３０２】
また、図６においては、画像表示装置は、画素アレイＡＲＹと、データ信号線駆動回路と、走査信号線駆動回路ＧＤと、タイミング信号を供給するタイミング回路ＣＴＬと、映像信号を供給する映像信号処理回路ＶＩＤから成っている。ここで、データ信号線駆動回路は、２つの回路部分、すなわち、共通な部分であるシフトレジスタ回路ＳＳＲとそれぞれ独立な部分ＳＤＢ１およびＳＤＢ２とから構成されており、ＳＳＲとＳＤＢ１で１つのデータ信号線駆動回路を、また、ＳＳＲとＳＤＢ２で他のデータ信号線駆動回路を構成している。
【０３０３】
また、図７においては、画像表示装置は、画素アレイＡＲＹと、データ信号線駆動回路ＳＤと、走査信号線駆動回路と、タイミング信号を供給するタイミング回路ＣＴＬと、映像信号を供給する映像信号処理回路ＶＩＤから成っている。ここで、走査信号線駆動回路は、２つの回路部分、すなわち、共通な部分であるシフトレジスタ回路ＧＳＲとそれぞれ独立な部分ＧＤＢ１およびＧＤＢ２とから構成されており、ＧＳＲとＧＤＢ１で１つの走査信号線駆動回路を、また、ＧＳＲとＧＤＢ２で他の走査信号線駆動回路を構成している。
【０３０４】
上記構成例において、データ信号線駆動回路ＳＤ１およびＳＤ２、あるいは、走査信号線駆動回路ＧＤ１およびＧＤ２は、同一の画素アレイを駆動できるようになっている。そして、異なる回路構成を採っており、解像度や階調（表示色数）など異なるフォーマットの映像を表示できるようになっている。
【０３０５】
ここで、複数の駆動回路のうち、表示に寄与しないものは動作を停止しておくことが、消費電力の点からも、また、雑音による誤動作を回避するためにも望ましい。
【０３０６】
このときの信号のタイミングチャートの例を図８および図９に示す。
【０３０７】
図８は、図１の構成に対応するタイミングチャートであり、２つのデータ信号線駆動回路の一方にのみ制御信号や映像信号が入力されて動作状態にあり、他方は非動作状態にあることを示している。
【０３０８】
また、図９は、図２の構成に対応するタイミングチャートであり、２つの走査信号線駆動回路の一方にのみ、アクティブな選択信号ＧＣＳ１が入力されるとともに、制御信号（ＧＣＫ１、ＧＳＴ１、ＧＥＮ１）が入力されて動作状態にあり、他方は非動作状態にあることを示している。
【０３０９】
また、図１０および図１１は、それぞれ、動作させるデータ信号線駆動回路および走査信号線駆動回路の切り替えを、フレーム単位で行うときのタイミングチャートの例である。表示する画像の各画面（フレーム）のフォーマットに合わせて、最適な表示を選択することができる。
【０３１０】
また、図１２および図１３は、それぞれ、動作させるデータ信号線駆動回路および走査信号線駆動回路の切り替えを、フレームの途中で行うときのタイミングチャートの例である。各画面に写真や文字などの複数の種類の画像が含まれ、かつ、それぞれ別の領域に表示される場合に、画面の領域ごとにフォーマットを変えて表示することができる。
【０３１１】
このときの各データ信号線駆動回路および走査信号線駆動回路の動作状態と、それらの駆動回路によって表示される画像の様子を、それぞれ、図１４および図１５に示す。図中で、斜線は、駆動回路が動作状態にあることを示している。
【０３１２】
また、図１６は、複数のデータ信号線駆動回路が、少なくとも一部の期間、同時に動作状態にあり、画像データを書き込んでいるときのタイミングチャートの例である。それぞれのデータ信号線駆動回路から、別の画像データを書き込むことにより、容易に複数の画像を組み合わせて表示することが可能となる。
【０３１３】
このときの各データ信号線駆動回路の動作状態と、それらの駆動回路によって表示される画像の様子を、図１７に示す。図中で、斜線は、駆動回路が動作状態にあることを示している。
【０３１４】
また、図１８および図１９は、画像の上書き（スーパーインポーズ）を行うためのデータ信号線駆動回路の構成例である。図中、ＳＣＫ（および／ＳＣＫ）はクロック信号であり、ＳＳＴはスタート信号であり、ＦＦはフリップフロップであり、Ｎ１、Ｎ２、…は出力パルスであり、ＩＭＰはスーパーインポーズ制御信号であり、ＡＳはアナログスイッチであり、Ｓ１、／Ｓ１、…はアナログスイッチＡＳへの入力信号である。また、ＤＩＧはデジタル映像信号であり、ＴＦＧは転送ゲートであり、ＬＴはラッチ回路であり、ＤＡはデジタル−アナログ変換回路である。図１８はアナログ方式のデータ信号線駆動回路の例であり、図１９はデジタル方式のデータ信号線駆動回路の例である。いずれも、上書き制御信号としてのスーパーインポーズ制御信号ＩＭＰがアクティブであるときにのみ、アナログ信号の映像信号ＤＡＴまたはデジタル映像信号ＤＩＧがデータ信号線に書き込まれるので、他のデータ信号線駆動回路と組み合わせることにより、画像の上書きを実現することができる。
【０３１５】
すなわち、上記スーパーインポーズ制御信号ＩＭＰは、スーパーインポーズ機能を制御する信号であり、これがアクティブである期間にのみ、映像信号（ＤＡＴの電位レベル、または、ＤＩＧに対応する電位レベル）がデータ信号線に書き込まれるようになっている。
【０３１６】
上記スーパーインポーズ制御信号ＩＭＰや転送ゲートＴＦＧ等の信号は、他の制御信号（ＳＣＫ、ＳＳＴ、ＳＣＳ等）と同様に、タイミング回路ＣＴＬで作成され、データ信号線駆動回路に入力される。また、上記ＩＭＰやＴＦＧ等の信号は、後述の制御信号ＳＥＬによって、そのデータ信号線駆動回路が選択された（駆動される）時にのみ出力されるようにすることができる。このようにすれば、不要な信号を伝送しないので、その分、消費電力を低減することができる。
【０３１７】
ＴＦＧは、水平帰線期間中、すなわち、１水平ライン分の、２値またはスーパーインポーズの映像信号の入力が終わり、次の１水平ライン分の映像信号の入力が始まるまでの期間に、アクティブとなる。これにより、１水平走査期間分の映像信号がすべて同時に、データ信号線ＳＬに書き込まれる。
【０３１８】
このとき、画像の上書きは、水平走査期間単位で行うことも可能であるし、また、水平走査期間内の一部のみで行うことも可能である。これは、スーパーインポーズ制御信号ＩＭＰを、当該水平走査期間の間、常にアクティブにしておくか、あるいは、上書きする映像データが入力されるときのみアクティブにしておくか、で制御できる。
【０３１９】
上記の駆動を行ったときの画像表示の状態を、図２０および図２１に示す。図２０は、水平走査期間単位で画像の上書きを行った場合の例であり、画面の下の約１／３の領域で背景の白地を含んだテキストデータが上書きされている。一方、図２１は、水平走査期間の一部でのみ画像の上書きを行った場合の例であり、文字の黒色部分のみが上書きされており、それらの隙間部分では元の画像が表示されて残っている。
【０３２０】
このように画像の上書きを行うには、元の映像データをデータ信号線に書き込んだ後に、上書きする映像データをデータ信号線に書き込む必要がある。それは、水平走査期間の中の帰線期間を利用して、映像データの上書きを行うか、あるいは、元の映像データの書き込みから一定時間遅れて、上書きする映像データを書き込むことで実現できる。
【０３２１】
図２２は、水平走査期間の中の帰線期間を利用して、映像データの上書きを行うときのタイミングチャートの例であり、図２３は、元の映像データの書き込みから一定時間遅れて、上書きする映像データを書き込むときのタイミングチャートの例である。
【０３２２】
また、図２４は、文字の上書きに特化した上書き機能を実現するデータ信号線駆動回路の構成例である。図２４においては、シフトレジスタ回路の出力に同期して、上書きの映像信号である２値のスーパーインポーズ映像信号ＩＭＤを取り込み、このスーパーインポーズ映像信号ＩＭＤがアクティブな時のみ、データ信号線にデータ（黒または白）を書き込むようになっている。したがって、文字の黒部分に対応するスーパーインポーズ映像信号ＩＭＤを入力することにより、文字間の抜き部分には信号は書き込まれず、元の映像が残るので、映画の字幕スーパーのような表示が、容易に切り替え可能な機能として実現できる。
【０３２３】
図２５は、このときのタイミングチャートの例である。すなわち、上記スーパーインポーズ映像信号ＩＭＤは、上書き用の映像信号としての、２値のスーパーインポーズ映像信号である。また、映像レベルＤＬＶは、スーパーインポーズ表示における映像信号の書き込みレベルに対応する電位レベルの信号であり、ライン反転駆動の場合には同図のように１水平期間ごとに極性反転する。１水平ライン分の２値のスーパーインポーズ映像信号ＩＭＤを第１のラッチ回路（ＬＴ）に取り込んだ後、転送信号であるＴＦＧを入力することにより、１水平ライン分の２値のスーパーインポーズ映像信号を全て同時に、選択スイッチとしてのアナログスイッチＡＳに転送し、スーパーインポーズ表示における書き込みレベルの信号をデータ信号線に書き込む。
【０３２４】
図２６ないし図２９は、本発明の他の構成例を示す図である。図２６においては、画像表示装置は、画素アレイＡＲＹと、データ信号線駆動回路ＳＤ１およびＳＤ２と、走査信号線駆動回路ＧＤと、タイミング信号を供給するタイミング回路ＣＴＬと、映像信号を供給する映像信号処理回路ＶＩＤから成っている。ここで、データ信号線駆動回路ＳＤ１およびＳＤ２には、外部よりいずれのデータ信号線駆動回路を駆動するかを制御するための動作制御信号としての選択信号ＳＣＳ１およびＳＣＳ２が入力されている。
【０３２５】
また、図２７においては、画像表示装置は、画素アレイＡＲＹと、データ信号線駆動回路ＳＤと、走査信号線駆動回路ＧＤ１およびＧＤ２と、タイミング信号を供給するタイミング回路ＣＴＬと、映像信号を供給する映像信号処理回路ＶＩＤから成っている。ここで、走査信号線駆動回路ＧＤ１およびＧＤ２には、外部よりいずれの走査信号線駆動回路を駆動するかを制御するための選択信号ＧＣＳ１およびＧＣＳ２が入力されている。
【０３２６】
図２６および図２７では、共通の入力信号（例えばＳＣＫとＳＳＴ、ＧＣＫとＧＳＴ、ＧＥＮ等）が両方の駆動回路に入力されているが、これらの選択信号ＳＣＳ１およびＳＣＳ２、または、ＧＣＳ１およびＧＣＳ２は、外部より入力される制御信号ＳＥＬによって制御される。
【０３２７】
図２８は、本発明の他の構成例を示す図である。図２８においては、画像表示装置は、画素アレイＡＲＹと、データ信号線駆動回路ＳＤ１およびＳＤ２と、走査信号線駆動回路ＧＤと、タイミング信号を供給するタイミング回路ＣＴＬと、映像信号を供給する映像信号処理回路ＶＩＤから成っている。データ信号線駆動回路ＳＤ１は多階調の表示が可能であり、データ信号線駆動回路ＳＤ２は２値表示のみが可能である。
【０３２８】
ここで、図２８（ａ）に示すように、外部より入力される映像が画像データである場合は、データ信号線駆動回路ＳＤ１が動作し、図２８（ｂ）に示すように、外部より入力される映像が文字データである場合は、データ信号線駆動回路ＳＤ２が動作するようにすることにより、入力される映像データの種類に応じて最適なフォーマットで表示するようにデータ信号線駆動回路を切り替えることができる。
【０３２９】
図２９は、本発明の他の構成例を示す図である。図２９においては、画像表示装置は、画素アレイＡＲＹと、データ信号線駆動回路ＳＤ１およびＳＤ２と、走査信号線駆動回路ＧＤと、タイミング信号を供給するタイミング回路ＣＴＬと、映像信号を供給する映像信号処理回路ＶＩＤから成っている。データ信号線駆動回路ＳＤ１は多階調の表示が可能であり、データ信号線駆動回路ＳＤ２は２値表示のみが可能である。
【０３３０】
また、図２９（ａ）に示すように、データ信号線駆動回路ＳＤ１が動作するときには、バックライトが点灯し画像表示装置は透過型表示モードとなっており、一方、図２９（ｂ）に示すように、データ信号線駆動回路ＳＤ２が動作するときには、バックライトが消灯し画像表示装置は反射型表示モードとなっている。透過型表示モードと反射型表示モードの両立は、各画素ＰＩＸ内に光が透過する領域と反射する領域とを設けることにより可能である。
【０３３１】
ここで、夜や屋内のように周囲が比較的暗い環境下では、データ信号線駆動回路ＳＤ１を動作させ、日中の屋外のように外光が強い環境下では、データ信号線駆動回路ＳＤ２を動作させることにより、使用環境に応じて、最適な表示モードや表示フォーマットでの表示が可能となる。
【０３３２】
図３０は、本発明の他の構成例を示す図である。図３０においては、映像信号処理回路ＶＩＤにおける映像信号のフォーマット変換の例を示している。原映像信号として入力された入力映像信号ＤＩＮは、外部からの制御信号により、変換可能な複数のフォーマットのうちの１つに変換される。例えば、原映像信号が８ビットのＶＧＡ（６４０×４８０画素）信号である場合、解像度や階調の点で、これと同じ（同図（ａ））かこれより少ない信号に（同図（ｂ））変換可能である。同図（ｂ）では、８ビットＶＧＡ信号から４ビットＱＶＧＡ（３２０×２４０画素）信号に変換されている。
【０３３３】
このようなフォーマット変換機能を有する回路を備えることにより、複数のフォーマットでの表示が可能な画像表示装置が実現できる。
【０３３４】
図３１は、本発明の他の構成例を示す図である。図３１においては、タイミング回路ＣＴＬにおけるタイミング信号の変換の例を示している。原タイミング信号として入力された入力タイミング信号ＴＩＮに基づき、外部からの制御信号により、生成可能な複数のタイミングのうちの１つが生成される。例えば、原映像信号がＶＧＡ（６４０×４８０画素）表示に対応する原クロックであるクロック信号ＣＬＫや同期信号ＶＳＹＮＣ，ＨＳＹＮＣであるとき、外部からの制御信号により、これらの信号から、表示フォーマットに対応するクロック信号ＧＣＫ、ＳＣＫやスタート信号ＧＳＴ、ＳＳＴを生成し、駆動回路に入力する。同図（ａ）および同図（ｂ）に示すように、制御信号がハイかローかに応じて、該当する周波数のクロック信号ＧＣＫ、ＳＣＫやスタート信号ＧＳＴ、ＳＳＴを生成している。
【０３３５】
このような複数のタイミング信号生成機能を有する回路を備えることにより、複数のフォーマットでの表示が可能な画像表示装置が実現できる。
【０３３６】
図３２および図３３は、本発明の他の構成例を示す図である。図３２においては、画像表示装置は、画素アレイＡＲＹと、データ信号線駆動回路ＳＤ１およびＳＤ２と、走査信号線駆動回路ＧＤと、タイミング信号を供給するタイミング回路ＣＴＬと、映像信号を供給する映像信号処理回路ＶＩＤとから成っている。スタート信号ＳＳＴおよびクロック信号ＳＣＫは、タイミング回路ＣＴＬから出力された直後に切り替えスイッチＳＬＴ（タイミング信号供給先切り替え手段）によって、データ信号線駆動回路ＳＤ１またはＳＤ２のいずれかに入力されている。
【０３３７】
また、図３３においては、画像表示装置は、画素アレイＡＲＹと、データ信号線駆動回路ＳＤ１およびＳＤ２と、走査信号線駆動回路ＧＤと、タイミング信号を供給するタイミング回路ＣＴＬと、映像信号を供給する映像信号処理回路ＶＩＤから成っている。スタート信号ＳＳＴおよびクロック信号ＳＣＫは、タイミング回路ＣＴＬから出力された直後に切り替えスイッチＳＬＴによって、データ信号線駆動回路ＳＤ１またはＳＤ２のいずれかに入力されているとともに、映像信号ＤＡＴが、映像信号処理回路ＶＩＤから出力された直後に切り替えスイッチＳＬＤ（映像信号供給先切り替え手段）によって、データ信号線駆動回路ＳＤ１またはＳＤ２のいずれかに入力されている。
【０３３８】
このように、タイミング信号や映像信号が、切り替えスイッチによって、いずれか一方の駆動回路にのみ供給され、不要な信号を供給しないような構成をとっているので、消費電力の増加を避けることが可能となっている。上記切り替えスイッチＳＬＴや切り替えスイッチＳＬＤは、例えば、後述の検知回路ＳＥＮ（図３４参照）や判別回路ＪＤＧ（図３５参照）によって制御することができる。
【０３３９】
図３４および図３５は、本発明の他の構成例を示す図である。図３４においては、画像表示装置は、画素アレイＡＲＹと、データ信号線駆動回路ＳＤ１およびＳＤ２と、走査信号線駆動回路ＧＤと、タイミング信号を供給するタイミング回路ＣＴＬと、映像信号を供給する映像信号処理回路ＶＩＤと、使用環境を検知するセンサーとしての検知回路ＳＥＮ（検知手段）とから成っている。
【０３４０】
ここで、検知回路ＳＥＮによって使用環境（明るさなど）を検知し、その結果を、表示形態切り替え手段としてのタイミング回路ＣＴＬと映像信号処理回路ＶＩＤに入力することにより、タイミング信号や映像信号のフォーマットを最適化し、使用環境に対応した表示を行うようにしている。
【０３４１】
また、図３５においては、画像表示装置は、画素アレイＡＲＹと、データ信号線駆動回路ＳＤ１およびＳＤ２と、走査信号線駆動回路ＧＤと、タイミング信号を供給するタイミング回路ＣＴＬと、映像信号を供給する映像信号処理回路ＶＩＤと、映像の種類を判別する判別回路ＪＤＧ（映像種類判別手段）とから成っている。
【０３４２】
ここで、判別回路ＪＤＧは、入力されてきたデータＩＮから映像の種類を判別し（例えば、データの先頭にその種類を表すタグが含まれている場合には、これを読みとることにより判別可能となる）、その結果を、表示形態切り替え手段としてのタイミング回路ＣＴＬと映像信号処理回路ＶＩＤに入力することにより、タイミング信号や映像信号のフォーマットを最適化し、映像の種類に対応した表示を行うようにしている。
【０３４３】
図３６ないし図３８は、本発明の他の構成例を示す図である。図３６ないし図３８は、いずれも、画像表示装置は、画素アレイＡＲＹと、データ信号線駆動回路ＳＤＩおよびＳＤ２と、走査信号線駆動回路ＧＤと、タイミング信号を供給するタイミング回路ＣＴＬと、映像信号を供給する映像信号処理回路ＶＩＤと、電源回路ＶＧＥＮとから成っている。図中、Ｖs1+ 、Ｖs1- 、Ｖs2+ 、Ｖs2- は、電源回路ＶＧＥＮから電圧が入力される、データ信号線駆動回路側の端子であり、Ｖｇ+ 、Ｖｇ- は、電源回路ＶＧＥＮから電圧が入力される、走査信号線駆動回路側の端子である。
【０３４４】
ここで、図３６の構成では、２つのデータ信号線駆動回路ＳＤ１およびＳＤ２において、それぞれ独立のタイミング回路ＣＴＬの信号端子および電源回路ＶＧＥＮの電源端子が対応している。一方、図３７の構成では、２つのデータ信号線駆動回路ＳＤ１およびＳＤ２において、それぞれ独立のタイミング回路ＣＴＬの信号端子が対応しているが、電源回路ＶＧＥＮの電源端子は共通である。また、図３８の構成では、２つのデータ信号線駆動回路ＳＤ１およびＳＤ２において、タイミング回路ＣＴＬの信号端子および電源回路ＶＧＥＮの電源端子が共通である。
【０３４５】
２つのデータ信号線駆動回路ＳＤ１およびＳＤ２において、入力信号や電源電圧として同一のものもあるので、その場合には共通端子とすることで端子数の削減が可能となるが、一方で信号線の配線の複雑化や雑音の増大が懸念されるため、いずれを採用すべきかは画像表示装置全体の仕様や構成から決定される。
【０３４６】
図３９は、本発明の他の構成例を示す図である。図３９においては、画像表示装置は、画素アレイＡＲＹと、データ信号線駆動回路ＳＤ１およびＳＤ２と、走査信号線駆動回路ＧＤと、タイミング信号を供給するタイミング回路ＣＴＬと、映像信号を供給する映像信号処理回路ＶＩＤと、電源回路ＶＧＥＮとから成っている。ここで、電源回路ＶＧＥＮからの電源供給を制御するスイッチＶＧＥＮＳＷが設けられており、動作させないほうのデータ信号線駆動回路には、電源を供給しないような構成となっている。これにより、動作させない方のデータ信号線駆動回路での消費電力はゼロにすることができるので、消費電力の低減に有効である。上記スイッチＶＧＥＮＳＷは、例えば、検知回路ＳＥＮ（図３４参照）や判別回路ＪＤＧ（図３５参照）によって制御することができる。
【０３４７】
図４０は、本発明の他の構成例を示す図である。図４０においては、画像表示装置は、画素アレイＡＲＹと、データ信号線駆動回路ＳＤ１およびＳＤ２と、走査信号線駆動回路ＧＤと、タイミング信号を供給するタイミング回路ＣＴＬと、映像信号を供給する映像信号処理回路ＶＩＤとから成っている。
【０３４８】
ここで、２つのデータ信号線駆動回路ＳＤ１およびＳＤ２とデータ信号線ＳＬとの間には、スイッチＳＤＳＷ（駆動回路分離手段）が設けられており、データ信号線は、いずれか一方のデータ信号線駆動回路とのみ電気的に接続されている。上記スイッチＳＤＳＷは、例えば、選択信号ＳＣＳ１、ＳＣＳ２（図２６参照）によって制御することができる。
【０３４９】
データ信号線駆動回路の構成によっては、動作していない場合でも一定の電圧の信号を出力している場合があるが、そのような場合には、２つのデータ信号線駆動回路からの出力信号が衝突して所望の信号が得られなくなることがある。本構成例のように、一方のデータ信号線駆動回路を電気的に切り離すことにより、そのような不具合を回避することが可能となる。このときのタイミングチャートを図４１に示す。
【０３５０】
また、同様に、２つの走査信号線駆動回路からの出力信号が衝突して所望の信号が得られなくなることを避けるために、走査信号線駆動回路の構成は、図４２に示すように、最終段のバッファ（図ではインバータ回路）の後に制御スイッチＴＧを付加している。
【０３５１】
図４３および図４４は、いずれも、本発明の他の構成例を示す図である。図４３においては、動作させる駆動回路を選択することによって、表示モードや表示フォーマットを切り替えている。一方（同図（ａ））は、表示品位の高いものであり、他方（同図（ｂ））は、表示品位の低いものである。ここで、表示品位とは、解像度や表示階調、表示色数であり、また、透過型表示か反射型表示かも含まれる。
【０３５２】
また、図４４においても同様に、動作させる駆動回路を選択することによって、表示モードや表示フォーマットを切り替えている。ここでは、一方（同図（ａ））は、消費電力が大きい表示であり、他方（同図（ｂ））は、消費電力が小さい表示である。ここで言う消費電力の中には、透過型表示か反射型表示かによるバックライトの寄与も含まれる。
【０３５３】
図４５は、本発明の他の構成例を示す図である。図４５においては、一方（同図（ａ））は高解像度表示であり、他方（同図（ｂ））は解像度の低い表示となっている。解像度の低い表示は、複数のデータ信号線や走査信号線に同一の信号を書き込むことによって実現されるので、駆動回路に入力される信号線の数や駆動回路のユニット数を削減することができ、消費電力が小さくなるという利点がある。
【０３５４】
ここで、表示の解像度を変えるには、データ信号線駆動回路および走査信号線駆動回路を、それぞれ、図４６および図４７に示すような構成とすることで実現できる。図４６および図４７の構成においては、いずれも、駆動回路の出力が、複数本の（図４６および図４７では２本の）信号線（それぞれ、データ信号線および走査信号線）に接続されており、それら複数本の信号線には、同一の信号が書き込まれることになる。
【０３５５】
ここで、カラー表示の場合、表示解像度を変えるには、隣接するデータ信号線ではなく、同色に対応する直近のデータ信号線に同一の映像信号を書き込むことになる。このときのデータ信号線駆動回路の構成例を図４８に示す。
【０３５６】
図４９は、走査信号線側の解像度を低下させる場合のタイミングチャートの例である。解像度を低下させるために、複数ラインの画素に同一の映像信号を書き込んでいる。ここで、図４９のように、データ信号線駆動回路からデータ信号線に書き込んだ映像信号を複数の水平走査期間にわたって保持することにより、データ信号線駆動回路の動作を一時的に停止させることができ、データ信号線駆動回路の低消費電力化が図られる。すなわち、ある水平走査期間（Ａとする）に各データ信号線にデータ信号（電位）を印加した後、次の水平走査期間やそれ以降等、少なくともＡの次の水平走査期間を含む、Ａ以降の１個以上の水平走査期間において、データ信号線駆動回路からデータ信号線に新たなデータ信号を印加しないようにする。それにより、各データ信号線が、水平走査期間Ａでデータ信号を印加されたままの電位を、水平走査期間Ａを含む連続した複数の水平走査期間中、保持している。
【０３５７】
ここで、隣接画素間の寄生容量による画素電位の変動の差を小さく抑えるためには、データ信号線における映像信号の極性を、１画面（１フレーム）期間中、同一にすることが望ましい。このときのタイミングチャートを図５０に示す。
【０３５８】
また、図５１および図５２は、走査信号線側の解像度を低下させる場合のタイミングチャートの他の例である。図５１および図５２においては、１水平走査期間ごとに、映像信号の絶対値は同じであるが極性を変えた信号を画素に書き込むような構成をとっている。このような構成をとることにより、画素電位の変動に差が無くなるので、高い表示品位を実現することができる。
【０３５９】
また、図５３ないし図５６は、本発明の他の構成例を示す図である。図５３ないし図５６においても、動作させる駆動回路によって表示品位が切り替わる映像の例を示している。
【０３６０】
図５３においては、一方（同図（ａ））はカラー表示であり、他方（同図（ｂ））は白黒表示である。白黒表示は、Ｒ（赤）、Ｇ（緑）、Ｂ（青）の色表示に対応する複数のデータ信号線に同一の信号を書き込むことによって実現されるので、駆動回路に入力される信号線の数や駆動回路のユニット数を削減することができ、消費電力が小さくなるという利点がある。
【０３６１】
このときのデータ信号線駆動回路の構成例を図５４に示す。同一の映像信号線ＤＡＴからの映像信号を、Ｒ、Ｇ、Ｂに対応する３本のデータ信号線ＳＬ１ｒ、ＳＬ１ｇ、ＳＬ１ｂに書き込む構成となっている。これにより、白黒表示（灰色などの中間調を含む）が可能となる。
【０３６２】
また、図４８の構成と図５４の構成を組み合わせることも可能である。すなわち、同一の映像信号線ＤＡＴからの映像信号を、Ｒ、Ｇ、Ｂに対応する複数組のデータ信号線ＳＬ１ｒ、ＳＬ１ｇ、ＳＬ１ｂ、ＳＬ２ｒ、ＳＬ２ｇ、ＳＬ２ｂに書き込む構成である。これにより、低解像度かつ白黒表示に対応したデータ信号線駆動回路が実現できる。このとき、データ信号線駆動回路の規模は更に小さくできるので、更なる低消費電力化が図られる。
【０３６３】
また、図５５においては、一方（同図（ａ））は多階調（１６階調）であり、他方（同図（ｂ））は階調数が少ない（４階調）。図５６においては、一方（同図（ａ））は多階調（８階調）であるのに対し、他方（同図（ｂ））は白黒表示（２階調）である。デジタル駆動回路の場合、階調の少ない表示では、外部より入力される映像信号の数が少なくなるとともに、回路構成が単純になるので、消費電力が少なくなる。また、その構成によっては、デジタル−アナログ変換回路やアンプ回路を設けず、基準電圧選択回路のみとすることができるので、その場合には、より低消費電力化することができる。
【０３６４】
図５７は、２階調表示を実現するための２値出力駆動回路の構成例である。入力されたデジタル映像信号ＤＩＧにより、白表示用の基準信号ＤＷおよび黒表示用の基準信号ＤＢのいずれかを選択し、データ信号線ＳＬに出力するものである。
【０３６５】
この２値出力駆動回路は、デジタル回路のみで構成されており、かつ、極めて単純な回路構成であるので、動作時の消費電力も小さく抑えることができるという特徴がある。すなわち、２値表示を行う場合には、このような２値出力に特化した駆動回路で映像信号を書き込むことにより、低消費電力化を実現することができる。
【０３６６】
図５８は、このときのタイミングチャートの例である。すなわち、ＤＩＧは２値のデジタル映像信号である。また、基準信号ＤＢおよびＤＷは、上述したように、それぞれ、黒および白表示に対応する電位レベルの信号であり、ライン反転駆動の場合には同図のように１水平期間ごとに極性反転する。１水平ライン分の２値のデジタル映像信号ＤＩＧを第１のラッチ回路（ＬＴ）に取り込んだ後、転送信号であるＴＦＧを入力することにより、１水平ライン分の２値の映像信号を全て同時に、選択スイッチとしての選択回路ＳＴに転送し、黒レベル（ＤＢ）または白レベル（ＤＷ）の電位をデータ信号線に書き込む。
【０３６７】
図５９および図６０は、デジタル方式のデータ信号線駆動回路の構成例を示す図である。これらの駆動回路では、表示する画像の階調数に応じて、表示フォーマット制御信号ＦＭＴにより、回路の一部をスキップすることにより、表示階調数を変えることができるようにしている。
【０３６８】
図５９においては、まず、デジタル映像信号ＤＩＧが、ラッチ回路ＬＡＴでラッチされた後、マルチプレクサＭＵＸによりデコードされ、これを基に、基準電圧選択回路ＶＳＥＬにより映像信号用基準電位ＶＲＥＦの中から対応する基準信号を選択する。このとき、表示階調が多い場合には、表示フォーマット制御信号ＦＭＴにより選択スイッチＳＷＴが中間電位生成回路ＤＡＣ側に切り替えられ、上位ビットによって２つの基準信号が選択されて中間電位生成回路ＤＡＣに入力され、下位ビットによって中間電位が生成される。また、表示階調が少ない場合には、中間電位生成回路ＤＡＣが切り離され、基準電圧選択回路ＶＳＥＬにより映像信号用基準電位ＶＲＥＦの中から１つの基準信号のみが選択され、直接データ信号線ＳＬに出力される。
【０３６９】
ここで、階調数の少ない画像で表示する場合には、中間電位生成回路ＤＡＣをスキップするような構成をとることにより、多くの回路を共通化することができ、回路規模を小さくすることが可能となる。
【０３７０】
一方、図６０においては、図５９の構成に加えて、基準電圧選択回路ＶＳＥＬと中間電位生成回路ＤＡＣとからなるデジタル−アナログ変換回路の後段にアナログアンプ（アンプ回路）ＡＭＰが付加されている。これは、データ信号線ＳＬの負荷が大きく中間電位生成回路ＤＡＣだけでは十分に駆動できない場合に、電流駆動力の大きいアナログアンプＡＭＰによってデータ信号線を充電できるようにするものである。
【０３７１】
図５９と同様に、階調数の少ない画像で表示する場合には、上記中間電位生成回路ＤＡＣとアナログアンプＡＭＰとをスキップするような構成をとることにより、多くの回路を共通化することができ、回路規模を小さくすることが可能となる。
【０３７２】
図６１は、本発明の他の構成例を示す図である。図６１においては、２つのデータ信号線駆動回路の一方はアナログ駆動回路（（ａ））であり、他方はデジタル駆動回路（（ｂ））である。すなわち、同図（ａ）に示すように、データ信号線駆動回路ＳＤ１はアナログ駆動回路であり、同図（ｂ）に示すように、データ信号線駆動回路ＳＤ２はデジタル駆動回路である。アナログ駆動回路では、表示可能な階調は無限であり、どのようなフォーマットの映像信号が入力されてきても、消費電力はほとんど変わらない。一方、デジタル駆動回路では、表示可能な階調は回路構成によって変えることができ、それとともに消費電力も変わってくる。したがって、アナログ駆動回路とデジタル駆動回路とを組み合わせることにより、表示品位と消費電力の最適な組み合わせを実現することができる。
【０３７３】
ここで、アナログ駆動回路とデジタル駆動回路との構成例は、すでに述べた通りである。すなわち、アナログ方式のデータ信号線駆動回路としては、図９５に示す点順次駆動のもの（アンプなし）と、図９７に示す線順次駆動のもの（アンプあり）とがある。また、デジタル方式のデータ信号線駆動回路としては、図９８に示すもの（アンプなし）と、図９９に示すもの（アンプあり）とがある。デジタル方式のデータ信号線駆動回路は、いずれも線順次で駆動する。
【０３７４】
図６２および図６３は、本発明の他の構成例を示す図である。図６２は、一方（同図（ａ））は図形データが入力されたときの表示を表しており、他方（同図（ｂ））は文字データが入力されたときの表示を表している。図形表示ではカラー表示や階調表示が望ましいのに対し、文字表示では白黒の２値表示で十分な場合もあるので、表示フォーマットを切り替えて、消費電力の削減を図ることが有効である。
【０３７５】
また、図６３は、一方（同図（ａ））は自然画データが入力されたときの表示を表しており、他方（同図（ｂ））は図形グラフデータが入力されたときの表示を表している。自然画表示ではカラー表示で多階調表示（６４階調以上）が望ましいのに対し、図形やグラフの表示では数階調程度のカラー表示で十分な場合もあるので、表示フォーマットを切り替えて、消費電力の削減を図ることが有効である。
【０３７６】
図６４は本発明の他の構成例を示す図である。図６４においては、一方（同図（ａ））は透過型表示モードであり、他方（同図（ｂ））は反射型表示モードである。ここで、各画素内に、光が透過する領域と反射する領域とを作り込むことにより、バックライトを点灯させたときには透過型表示モードとなり、バックライトを消灯させたときには反射型表示モードとなるようにすることができる。
【０３７７】
本発明の他の構成例として、画面の一部のみで画像を表示することを可能にするものがある。図６５、図６６、図６９、図７２および図７４は、これを実現するためのタイミングチャートの例である。
【０３７８】
図６５においては、走査信号線駆動回路のイネーブル信号（ＧＥＮ）を部分的に停止することにより、走査信号線駆動回路を部分的にのみ動作させ、画面の垂直方向に部分的に画像を表示させている。このとき、走査信号線駆動回路が動作を停止している期間は、表示に供しないので、データ信号線駆動回路の動作および信号入力（ＳＣＫ，ＳＳＴ，ＤＡＴ等）も停止しておくことが望ましい。
【０３７９】
図６６においては、走査信号線駆動回路にリセット信号（ＧＲＳ）を入力することにより、走査信号線駆動回路の走査を途中で止め、画面の垂直方向に部分的に画像を表示させている。このときも上記と同様に、走査信号線駆動回路が動作を停止している期間は、表示に供しないので、走査信号線駆動回路の動作および信号入力（ＧＣＫ、ＧＥＮなど）とデータ信号線駆動回路の動作および信号入力（ＳＣＫ、ＳＳＴ、ＤＡＴ等）も停止しておくことが望ましい。
【０３８０】
走査信号線駆動回路の走査を途中で止めるための構成としては、図６７に示すように、走査信号線駆動回路の走査部を構成する複数のフリップフロップＦＦの各々にリセット信号ＧＲＳが入力されるようにする。
【０３８１】
図６８は、フリップフロップ部分の回路構成を示す図である。リセット信号ＧＲＳが入力されることにより、内部ノードを強制的に高電位にしている。
【０３８２】
図６９は、リセット信号により駆動回路を途中で停止させる方法を、データ信号線駆動回路に適用した場合のタイミングチャートである。駆動回路の走査回路部分構成は、図６７および図６８に示したものと同様である。図６９においては、リセット信号ＳＲＳが入力された時点で、データ信号線駆動回路の動作は停止し、以降のデータ信号線には映像信号は書き込まれない。したがって、その前に書き込まれた映像信号が保持されることになるので、この部分表示モードに入る前に、予め非表示用の映像データをデータ信号線に書き込んでおくことが望ましい。
【０３８３】
データ信号線駆動回路の走査を途中で止めるための構成としては、図７０に示すように、データ信号線駆動回路の走査部を構成する複数のフリップフロップＦＦの各々にリセット信号ＳＲＳが入力されるようにする。
【０３８４】
図７１は、フリップフロップ部分の回路構成を示す図である。リセット信号ＳＲＳが入力されることにより、内部ノードを強制的に高電位にしている。
【０３８５】
また、図７２においては、走査信号線駆動回路の途中の段からスタート信号（ＧＳＴ）を入力することにより、走査信号線駆動回路の走査を途中から開始し、画面の垂直方向に部分的に画像を表示させている。このときも上記と同様に、走査信号線駆動回路が動作を停止している期間は、表示に供しないので、走査信号線駆動回路の動作および信号入力（ＧＣＫ、ＧＥＮなど）とデータ信号線駆動回路の動作および信号入力（ＳＣＫ、ＳＳＴ、ＤＡＴ等）も停止しておくことが望ましい。
【０３８６】
走査信号線駆動回路の走査を途中から開始するための構成としては、図７３に示すように、スタート信号ＧＳＴを、走査信号線駆動回路の初段および途中の段から入力できるようにしておき、これを全段駆動用制御信号ＧＦＤおよび部分駆動用制御信号ＧＰＤにより制御スイッチＴＧにて制御するものがある。
【０３８７】
図７４は、スタート信号により途中の段から入力させる方法を、データ信号線駆動回路に適用した場合のタイミングチャートである。駆動回路の走査回路部分構成は、図７３に示したものと同様である。図７４においては、スタート信号ＳＳＴが入力されるまでは、データ信号線駆動回路の動作は停止し、データ信号線には映像信号は書き込まれない。したがって、それ以前に書き込まれた映像信号が保持されることになるので、この部分表示モードに入る前に、予め非表示用の映像データをデータ信号線に書き込んでおくことが望ましい。
【０３８８】
データ信号線駆動回路の走査を途中から開始するための構成としては、図７５に示すように、スタート信号ＳＳＴを、データ信号線駆動回路の初段および途中の段から入力できるようにしておき、これを全段駆動用制御信号ＳＦＤおよび部分駆動用制御信号ＳＰＤにより制御スイッチＴＧにて制御するものがある。
【０３８９】
上記の部分表示に係わる各構成同士を組み合わせることも可能である。これにより、水平方向と垂直方向のいずれにも部分的な表示が可能になるなど、表示領域に対する自由度が大きくなる。
【０３９０】
図７６は、本発明に係る画像表示装置の他の構成例を示した図である。図７６に示した画像表示装置においては、画素ＰＩＸと、データ信号線駆動回路ＳＤ１およびＳＤ２と、走査信号線駆動回路ＧＤとは、同一基板ＳＵＢ上に構成されており（ドライバモノリシック構造）、外部のタイミング回路ＣＴＬおよび外部の映像信号処理回路ＶＩＤからの信号と、外部の電源回路ＶＧＥＮからの駆動電源とによって駆動している。なお、図中、ＣＯＭはコモン端子である。このような構成においては、データ信号線駆動回路（場合によっては、走査信号線駆動回路も）を画素と同一基板上に（モノリシックに）形成することにより、別々に構成して実装するよりも、駆動回路の製造コストや実装コストの低減を図ることができるとともに、信頼性の向上にも効果がある。
【０３９１】
図７７は、本発明に係る画像表示装置を構成する能動素子としての多結晶シリコン薄膜トランジスタの構造例を示した図である。この多結晶シリコン薄膜トランジスタは、ガラス基板１００上に形成されるチャネル領域１０２ａ、ソース領域１０２ｂおよびドレイン領域１０２ｃからなる多結晶シリコン薄膜と、その多結晶シリコン薄膜上に順に堆積されるゲート絶縁膜１０３、ゲート電極１０４および層間絶縁膜１０５と、金属配線１０６とにより構成されている。
【０３９２】
図７７に示す多結晶シリコン薄膜トランジスタは、絶縁性基板上の多結晶シリコン薄膜を活性層とする順スタガー（トップゲート）構造のものであるが、本発明はこれに限るものではなく、逆スタガー構造等の他の構造のものであってよい。
【０３９３】
上記のような多結晶シリコン薄膜トランジスタを用いることによって、実用的な駆動能力を有する走査信号線駆動回路およびデータ信号線駆動回路を、画素アレイと同一基板上にほぼ同一の製造工程で構成することができる。
【０３９４】
また、一般に、多結晶シリコン薄膜トランジスタは、単結晶シリコントランジスタ（ＭＯＳトランジスタ）に比べて、特性が低いため駆動電圧を高くせざるを得ず、また、素子の大きさも大きいので回路内部の寄生容量が大きくなる。したがって、消費電力が大きくなる傾向があり、本発明のような消費電力を低減する技術は、極めて効果的である。
【０３９５】
図７８は、本発明に係る画像表示装置を構成する多結晶シリコン薄膜トランジスタの製造工程を示す構造断面図の例である。以下に、摂氏６００℃以下で多結晶シリコン薄膜トランジスタを形成するときの製造プロセスについて、簡単に説明する。
【０３９６】
図７８（ａ）〜図７８（ｋ）は、各工程での断面図である。図７８においては、まず、ガラス基板１００（ａ）上に堆積した非晶質シリコン薄膜であるａ−Ｓｉ（ｂ）に、エキシマレーザを照射して、多結晶シリコン薄膜（ｐｏｌｙ−Ｓｉ）１０２を形成する（ｃ）。次に、この多結晶シリコン薄膜１０２を所望の形状にパターニングし（ｄ）、二酸化シリコンからなるゲート絶縁膜１０３を形成する（ｅ）。更に、薄膜トランジスタのゲート電極１０４をアルミニウム等で形成（ｆ）した後、薄膜トランジスタのソース・ドレイン領域に不純物（ｎ型領域には燐、ｐ型領域には硼素）を注入する（ｇ、ｈ）。すなわち、燐陽イオンドーピングにてｎ型領域１１１とそれに囲まれた中心領域１１２を形成し（ｇ）、硼素陰イオンドーピングにてｐ型領域１１３とそれに囲まれた中心領域１１４を形成する（ｈ）。ｎ型領域に不純物を注入する際には、ｐ型領域をレジスト１０８でマスクし（ｇ）、ｐ型領域に不純物を注入する際には、ｎ型領域をレジスト１０８でマスクする（ｈ）。その後、二酸化シリコンまたは窒化シリコン等からなる層間絶縁膜１０５を堆積し（ｉ）、コンタクトホール１０５ａを開口（ｊ）した後、アルミニウム等の金属配線１０６を形成する（ｋ）。この工程において、プロセスの最高温度は、ゲート絶縁膜形成時の６００℃であるので、米国コーニング社の１７３７ガラス等の高耐熱性ガラスが使用できる。
【０３９７】
なお、液晶表示装置においては、この後に、更に、別の層間絶縁膜を介して、透明電極（透過型液晶表示装置の場合）や反射電極（反射型液晶表示装置の場合）を形成することになる。
【０３９８】
ここで、図７８に示すような製造工程で、多結晶シリコン薄膜トランジスタを、摂氏６００度以下で形成することにより、安価で大面積のガラス基板を用いることができるようになるので、画像表示装置の低価格化と大面積化が実現される。
【０３９９】
図７９は、上記の画像表示装置を具備した電子機器の構成を示すブロック図である。この例では、電子機器は、通信手段、検知手段、入力手段、演算手段、表示手段、および記憶手段からなっている。以下に、この電子機器の具体的な構成例について述べる。
【０４００】
図８０ないし図８２は、本発明の電子機器の例を示す図である。図８０においては、電子機器（テレビ受像機）は、内蔵バッテリーと外部ＡＣ電源のいずれでも駆動することができる。内蔵バッテリー使用時（ａ）には、使用時間に制限があるので、できるだけ消費電力の少ないモードやフォーマットでの表示が望ましい。また、ＡＣ電源使用時（ｂ）には、そのような制限がないので、できるだけ表示品位の高い表示が望ましい。
【０４０１】
また、図８１は、電子機器（携帯電話）の待機時の状態と使用時の状態を表している。待機時（ａ）には、文字情報が主であり、電力消費の少ない白黒の２値表示でも支障はない場合が多い。一方、使用時（ｂ）には、画像データを扱うこともあるので、それに応じてカラー表示や階調表示を行うことが望ましい。電子機器によっては、待機時の時間が使用時の時間よりも圧倒的に長いものもあり、その場合には、待機時の消費電力を下げることで、バッテリーでの使用可能時間が大幅に改善される。
【０４０２】
また、図８２の電子機器（携帯情報端末）においては、光センサー２０１を備えている。このセンサーによって周囲の明るさを検知し、自動的に、外光が強い場合は反射型表示モードを選択し、外光が弱い場合は透過型表示モードを選択するようになっている。
【０４０３】
図８３ないし図９２は、本発明の電子機器の他の例を示す図である。
【０４０４】
図８３は、携帯情報端末であり、本体２０２、表示部２０３、操作部２０４、音声出力部２０５、内蔵バッテリー２０６などからなっており、表示部２０３に上述の画像表示装置を適用することができる。
【０４０５】
また、図８４は、携帯電話であり、本体２１１、表示部２１２、操作部２１３、音声出力部２１４、音声入力部２１５、アンテナ２１６、内蔵バッテリー２１７などからなっており、表示部２１２に上述の画像表示装置を適用することができる。
【０４０６】
また、図８５は、ゲーム機であり、本体２２１、表示部２２２、操作部２２３、音声出力部２２４、記憶媒体挿入部２２５、内蔵バッテリー２２６などからなっており、表示部２２２に上述の画像表示装置を適用することができる。
【０４０７】
また、図８６（ａ）および図８６（ｂ）はいずれもビデオカメラであり、本体２３１・２４１、撮像部２３２・２４２、音声入力部２４３、表示部２３４・２４４、操作部２３５・２４５、記憶媒体挿入部２３６・２４６、内蔵バッテリー２３７などからなっており、表示部２３４・２４４に上述の画像表示装置を適用することができる。
【０４０８】
また、図８７は、スチルカメラであり、本体２５１、撮像部２５２、表示部２５３、操作部２５４、記憶媒体挿入部２５５、内蔵バッテリー２５６などからなっており、表示部２５３に上述の画像表示装置を適用することができる。
【０４０９】
また、図８８は、電子書籍であり、本体２６１、表示部２６２、操作部２６３、記憶媒体挿入部２６４、内蔵バッテリー２６５などからなっており、表示部２６２に上述の画像表示装置を適用することができる。
【０４１０】
また、図８９は、カーナビゲーションシステムであり、本体２７１ａ・２７１ｂ、表示部２７２、音声出力部２７３、操作部２７４、記憶媒体挿入部２７５、位置センサーなどからなっており、表示部２７２に上述の画像表示装置を適用することができる。
【０４１１】
また、図９０は、テレビ受像機であり、本体２８１、表示部２８２、音声出力部２８３、操作部２８４、アンテナ２８５、入出力端子２８６、内蔵バッテリー２８７などからなっており、表示部２８２に上述の画像表示装置を適用することができる。
【０４１２】
また、図９１は、映像再生機器であり、本体２９１、表示部２９２、音声出力部２９３、操作部２９４、記憶媒体挿入部２９５、入出力端子２９６、内蔵バッテリー２９７などからなっており、表示部２９２に上述の画像表示装置を適用することができる。
【０４１３】
また、図９２は、コンピュータであり、本体３０１、表示部３０２、音声出力部３０３、操作部３０４、入出力端子３０５、記憶媒体挿入部３０６、内蔵バッテリー３０７などからなっており、表示部３０２に上述の画像表示装置を適用することができる。
【０４１４】
以上のように、本発明は極めて多岐にわたる電子機器に適用することができ、その表示部において、使用環境や使用状態に応じて最適な表示モードや表示フォーマットを選択することにより、視認性や操作性、利便性の改善を図ることができる。
【０４１５】
以上、本発明の構成例について幾つかを示したが、本発明はこれらに限定されることなく、上記構成例の組み合わせ等の他の構成についても、同様に当てはまるものである。
【０４１６】
なお、本発明の画像表示装置は、画像を表示する複数の画素からなる画素アレイと、該画素アレイに映像信号を供給するデータ信号線駆動回路と、該画素への映像信号の書き込みを制御する走査信号線駆動回路と、該データ信号線駆動回路と該走査信号線駆動回路にタイミング信号を供給するタイミング回路と、該データ信号線駆動回路に映像信号を供給する映像信号処理回路とを有する画像表示装置において、上記データ信号線駆動回路の少なくとも一部分を複数個備え、上記複数個の上記データ信号線駆動回路は、互いに異なる構成をとり、かつ、画素アレイの同一領域を駆動できるように構成してもよい。
【０４１７】
また、本発明の画像表示装置は、上記構成において、各時刻において動作するのは、上記複数のデータ信号線駆動回路のうちのいずれか１つのみであるように構成してもよい。
【０４１８】
また、本発明の画像表示装置は、上記構成において、少なくとも同一フレーム期間においては、同一のデータ信号線駆動回路を駆動させるように構成してもよい。
【０４１９】
また、本発明の画像表示装置は、上記構成において、同一フレーム期間内において、駆動させるデータ信号線駆動回路を切り替えるように構成してもよい。
【０４２０】
また、本発明の画像表示装置は、上記構成において、上記複数のデータ信号線駆動回路の少なくともいずれか２つは、画面内のそれぞれ異なる領域に画像データを書き込むように構成してもよい。
【０４２１】
また、本発明の画像表示装置は、上記構成において、上記複数のデータ信号線駆動回路の少なくともいずれか２つは、同一フレーム期間内において、画面内の少なくとも一部の領域に画像データを書き込むように構成してもよい。
【０４２２】
また、本発明の画像表示装置は、上記構成において、上記複数のデータ信号線駆動回路の少なくともいずれか２つが同時に動作するように構成してもよい。
【０４２３】
また、本発明の画像表示装置は、上記構成において、上記複数のデータ信号線駆動回路の少なくともいずれか１つは、同一フレーム期間内において、他のデータ信号線駆動回路によって書き込まれた画像に上書きして画像データを書き込むように構成してもよい。
【０４２４】
また、本発明の画像表示装置は、上記構成において、上記複数のデータ信号線駆動回路の少なくともいずれか１つは、水平走査期間単位で画像の上書きを行うように構成してもよい。
【０４２５】
また、本発明の画像表示装置は、上記構成において、上記複数のデータ信号線駆動回路の少なくともいずれか１つは、各水平走査期間内の一部の期間のみで画像の上書きを行うように構成してもよい。
【０４２６】
また、本発明の画像表示装置は、上記構成において、上記複数のデータ信号線駆動回路の少なくともいずれか１つは、各水平走査期間の帰線期間内に画像データを書き込むように構成してもよい。
【０４２７】
また、本発明の画像表示装置は、上記構成において、上記複数のデータ信号線駆動回路の少なくともいずれか１つは、他のデータ信号線駆動回路よりも一定期間遅れて画像データを書き込むように構成してもよい。
【０４２８】
また、本発明の画像表示装置は、上記構成において、上記複数個のデータ信号線駆動回路は、画素アレイに対して互いに反対側に配置されているように構成してもよい。
【０４２９】
また、本発明の画像表示装置は、上記構成において、上記複数個のデータ信号線駆動回路は、画素アレイに対して同じ側に配置されているように構成してもよい。
【０４３０】
また、本発明の画像表示装置は、上記構成において、上記複数個のデータ信号線駆動回路は、それぞれその一部の回路が共通であるように構成してもよい。
【０４３１】
また、本発明の画像表示装置は、画像を表示する複数の画素からなる画素アレイと、該画素アレイに映像信号を供給するデータ信号線駆動回路と、該画素への映像信号の書き込みを制御する走査信号線駆動回路と、該データ信号線駆動回路と該走査信号線駆動回路にタイミング信号を供給するタイミング回路と、該データ信号線駆動回路に映像信号を供給する映像信号処理回路とを有する画像表示装置において、上記走査信号線駆動回路の少なくとも一部分を複数個備え、上記複数個の上記走査信号線駆動回路は、互いに異なる構成をとり、かつ、画素アレイの同一領域を駆動できるように構成してもよい。
【０４３２】
また、本発明の画像表示装置は、上記構成において、各時刻において動作するのは、上記複数の走査信号線駆動回路のうちのいずれか１つのみであるように構成してもよい。
【０４３３】
また、本発明の画像表示装置は、上記構成において、少なくとも同一フレーム期間においては、同一の走査信号線駆動回路を駆動させるように構成してもよい。
【０４３４】
また、本発明の画像表示装置は、上記構成において、同一フレーム期間内において、駆動させる走査信号線駆動回路を切り替えるように構成してもよい。
【０４３５】
また、本発明の画像表示装置は、上記構成において、上記複数の走査信号線駆動回路の少なくともいずれか２つは、画面内のそれぞれ異なる領域に画像データを書き込むように構成してもよい。
【０４３６】
また、本発明の画像表示装置は、上記構成において、上記複数個の走査信号線駆動回路は、画素アレイに対して互いに反対側に配置されているように構成してもよい。
【０４３７】
また、本発明の画像表示装置は、上記構成において、上記複数個の走査信号線駆動回路は、画素アレイに対して同じ側に配置されているように構成してもよい。
【０４３８】
また、本発明の画像表示装置は、上記構成において、上記複数個の走査信号線駆動回路は、それぞれ、その一部の回路が共通であるように構成してもよい。
【０４３９】
また、本発明の画像表示装置は、上記構成において、外部より入力される信号により、上記複数個のデータ信号線駆動回路のいずれを駆動するかを制御するように構成してもよい。
【０４４０】
また、本発明の画像表示装置は、上記構成において、外部より入力される信号により、上記複数個の走査信号線駆動回路のいずれを駆動するかを制御するように構成してもよい。
【０４４１】
また、本発明の画像表示装置は、上記構成において、入力される表示データの種類に応じて、複数の表示モードおよび表示フォーマットのいずれかを選択するように構成してもよい。
【０４４２】
また、本発明の画像表示装置は、上記構成において、使用環境に応じて、複数の表示モードおよび表示フォーマットのいずれかを選択するように構成してもよい。
【０４４３】
また、本発明の画像表示装置は、上記構成において、上記映像信号処理回路は、入力された映像信号を、複数の種類のフォーマットに変換する機能を備えるように構成してもよい。
【０４４４】
また、本発明の画像表示装置は、上記構成において、上記タイミング回路は、入力されたタイミング信号を、表示フォーマットに対応した信号に変換する機能を備えるように構成してもよい。
【０４４５】
また、本発明の画像表示装置は、上記構成において、上記タイミング回路は、外部からの制御信号を受けて、タイミング信号の供給先を切り替える手段を具備するように構成してもよい。
【０４４６】
また、本発明の画像表示装置は、上記構成において、上記映像信号処理回路は、外部からの制御信号を受けて、映像信号の供給先を切り替える手段を具備するように構成してもよい。
【０４４７】
また、本発明の画像表示装置は、上記構成において、使用環境を検知する手段と、上記検知手段からの信号に基づいて表示モードや表示フォーマットを切り替える手段とを具備するように構成してもよい。
【０４４８】
また、本発明の画像表示装置は、上記構成において、入力される映像信号の種類やフォーマットを判別する判別手段と、上記判別手段からの信号に基づいて表示モードや表示フォーマットを切り替える手段とを具備するように構成してもよい。
【０４４９】
また、本発明の画像表示装置は、上記構成において、上記複数個の上記データ信号線駆動回路または上記走査信号線駆動回路は、それぞれ独立の電源端子および入力端子を備えるように構成してもよい。
【０４５０】
また、本発明の画像表示装置は、上記構成において、上記複数個の上記データ信号線駆動回路または上記走査信号線駆動回路は、電源端子および入力端子の一部が共通化されているように構成してもよい。
【０４５１】
また、本発明の画像表示装置は、上記構成において、上記複数個の上記データ信号線駆動回路または上記走査信号線駆動回路は、動作していない方の駆動回路には、電源の供給を停止するように構成してもよい。
【０４５２】
また、本発明の画像表示装置は、上記構成において、上記複数個の上記データ信号線駆動回路または上記走査信号線駆動回路は、表示に供しないほうの駆動回路と画素アレイとを電気的に切り離す手段を具備するように構成してもよい。
【０４５３】
また、本発明の画像表示装置は、上記構成において、上記複数の表示フォーマットとして、一方は他方よりも高画質であるように構成してもよい。
【０４５４】
また、本発明の画像表示装置は、上記構成において、上記複数の表示フォーマットとして、一方は他方よりも低消費電力であるように構成してもよい。
【０４５５】
また、本発明の画像表示装置は、上記構成において、上記複数の表示フォーマットとして、一方は他方よりも表示解像度が高いように構成してもよい。
【０４５６】
また、本発明の画像表示装置は、上記構成において、上記複数の表示フォーマットとして、一方はカラー表示であり、他方は白黒表示であるように構成してもよい。
【０４５７】
また、本発明の画像表示装置は、複数のデータ信号線駆動回路の一方において、複数のデータ信号線に同一の画像データを書き込むように構成してもよい。
【０４５８】
また、本発明の画像表示装置は、複数のデータ信号線駆動回路の一方において、水平方向に連続する同一色の複数の画素に対応するデータ信号線に同一の画像データを書き込むように構成してもよい。
【０４５９】
また、本発明の画像表示装置は、複数のデータ信号線駆動回路の一方において、水平方向に連続する３色の複数の画素に対応するデータ信号線に同一の画像データを書き込むように構成してもよい。
【０４６０】
また、本発明の画像表示装置は、連続する複数の走査信号線には、異なるタイミングで走査信号が書き込まれ、それぞれの走査期間において、データ信号線駆動回路から同一の画像データが出力されるように構成してもよい。
【０４６１】
また、本発明の画像表示装置は、連続する複数の走査信号線には、異なるタイミングで走査信号が書き込まれ、複数の走査期間を含む期間中、データ信号線駆動回路から出力された画像データが、各データ信号線において保持されるように構成してもよい。
【０４６２】
また、本発明の画像表示装置は、連続する複数の走査信号線には、異なるタイミングで走査信号が書き込まれ、それぞれの走査期間において、データ信号線駆動回路から、極性の異なる同一階調に相当する画像データが出力されるように構成してもよい。
【０４６３】
また、本発明の画像表示装置は、各データ信号線に書き込まれる画像データは、１フレーム期間中、同一極性であるように構成してもよい。
【０４６４】
また、本発明の画像表示装置は、上記構成において、上記複数の表示フォーマットとして、一方は他方よりも表示階調が多いように構成してもよい。
【０４６５】
また、本発明の画像表示装置は、上記構成において、上記複数の表示フォーマットとして、一方は中間調表示に対応しており、他方は２値表示であるように構成してもよい。
【０４６６】
また、本発明の画像表示装置は、上記構成において、上記データ信号線駆動回路内に、基準電圧選択回路と中間電位生成回路とを具備しており、表示階調が少ない時には、上記基準電圧選択回路のみを動作させ、上記中間電位生成回路は動作させず、一方、表示階調が多い時には、上記基準電圧選択回路および上記中間電位生成回路を共に動作させるように構成してもよい。
【０４６７】
また、本発明の画像表示装置は、上記構成において、上記データ信号線駆動回路内にアンプ回路を具備しており、表示階調が少ない時には上記アンプ回路は動作させず、一方、表示階調が多い時には上記アンプ回路を動作させるように構成してもよい。
【０４６８】
また、本発明の画像表示装置は、上記構成において、上記複数の表示フォーマットにおいて、入力される映像信号が、一方はアナログ信号であり、他方はデジタル信号であるように構成してもよい。
【０４６９】
また、本発明の画像表示装置は、上記構成において、上記複数の表示フォーマットにおいて、入力される映像信号が、一方は画像データであり、他方はテキストデータであるように構成してもよい。
【０４７０】
また、本発明の画像表示装置は、上記構成において、上記複数の表示フォーマットにおいて、入力される映像信号が、一方は自然画データであり、他方は図形データであるように構成してもよい。
【０４７１】
また、本発明の画像表示装置は、上記構成において、上記複数の表示モードにおいて、一方は透過型表示モードであり、他方は反射型表示モードであるように構成してもよい。
【０４７２】
また、本発明の画像表示装置は、少なくとも一部が複数個備えられた上記駆動回路について、いずれの駆動回路においても、表示領域の少なくとも一部分には画像データが書き込まれないように構成してもよい。
【０４７３】
また、本発明の画像表示装置は、各信号線の駆動タイミングに対応する信号を用いて、駆動回路の出力を制御することにより、一部の領域に画像データを書き込まないように構成してもよい。
【０４７４】
また、本発明の画像表示装置は、駆動回路の走査（スキャン）を停止するリセット信号を用いて、駆動回路の出力を制御することにより、一部の領域に画像データを書き込まないように構成してもよい。
【０４７５】
また、本発明の画像表示装置は、駆動回路の走査（スキャン）を開始するスタート信号を、駆動回路内の走査回路の中間の段から入力することにより、一部の領域に画像データを書き込まないように構成してもよい。
【０４７６】
また、本発明の画像表示装置は、上記構成において、上記データ信号線駆動回路および上記走査信号線駆動回路の少なくとも一方が、上記画素と同一基板上に形成されているように構成してもよい。
【０４７７】
また、本発明の画像表示装置は、上記構成において、上記データ信号線駆動回路および上記走査信号線駆動回路の少なくとも一方を構成する能動素子が、多結晶シリコン薄膜トランジスタであるように構成してもよい。
【０４７８】
また、本発明の画像表示装置は、上記構成において、上記能動素子が、ガラス基板上に、６００℃以下のプロセスで形成されるように構成してもよい。
【０４７９】
また、本発明の電子機器は、出力装置として画像表示装置を備えた電子機器において、上記画像表示装置が、上記いずれかの画像表示装置であるように構成してもよい。
【０４８０】
また、本発明の電子機器は、上記構成において、外部供給電源により駆動されている期間と、内蔵バッテリーにより駆動されている期間とで、表示モードまたは表示フォーマットを切り替えるように構成してもよい。
【０４８１】
また、本発明の電子機器は、上記構成において、待機時と動作時とで、表示モードまたは表示フォーマットを切り替えるように構成してもよい。
【０４８２】
また、本発明の電子機器は、上記構成において、使用時の周辺の明るさに応じて表示モードまたは表示フォーマットを切り替えるように構成してもよい。
【０４８３】
また、本発明の電子機器は、携帯情報端末、携帯電話、ゲーム機、ビデオカメラ、スチルカメラ、電子書籍、ナビゲーションシステム、テレビ受像機、映像再生機器、コンピュータとなるようにように構成してもよい。
【０４８４】
このように、本発明の画像表示装置においては、複数の異なる構成をなすデータ信号線駆動回路および走査信号線駆動回路を具備している。そして、それぞれのデータ信号線駆動回路または走査信号線駆動回路は、表示可能なフォーマット（解像度や表示階調など）が異なっている。したがって、いずれかの駆動回路を選択するかによって、表示品位や動作時の消費電力が異なってくる。入力される映像の種類や使用環境に応じて、動作させる駆動回路を切り替えることにより、最適な（必要かつ充分な）表示フォーマットでの表示が可能となり、かつ、消費電力の低減も実現される。
【０４８５】
また、複数の駆動回路を用いて時間差をつけて信号ラインに映像信号を書き込むことにより、画像の上書きをすることができるので、映像信号を外部で信号処理することなく、スーパーインポーズ表示が可能となる。
【０４８６】
この画像表示装置を搭載した電子機器においては、その表示品位や使用可能時間などの点で最適化を図ることができるので、視認性や操作性、利便性の改善が図られる。このように、本発明によれば、画像表示装置において、良好な画像表示と低消費電力性とを両立させることができる。
【０４８７】
また、本発明の画像表示装置は、上記の構成に加えて、少なくとも一部分が複数個備えられた上記駆動回路について、該駆動回路のうちで、各時刻において動作するのは１つのみである構成である。
【０４８８】
これにより、あるフォーマットの画像を表示するために、複数の駆動回路のうちの他の駆動回路は表示には無関係であり、それらの駆動回路の動作を停止させておくことにより、上記の構成による効果に加えて、消費電力の削減が図られるという効果を奏する。
【０４８９】
また、本発明の画像表示装置は、上記の構成に加えて、上記の互いに異なる表示形態としての複数の表示フォーマットとして、一方は他方よりも高画質である構成である。
【０４９０】
これにより、複数のフォーマットの表示が可能となるので、上記の構成による効果に加えて、表示データの種類や使用環境に応じて、それに適した表示モードおよび表示フォーマットを選択することができるという効果を奏する。
【０４９１】
また、本発明の電子機器は、上記の構成に加えて、外部供給電源により駆動されている期間と、内蔵バッテリーにより駆動されている期間とで、表示モードまたは表示フォーマットを切り替える構成である。
【０４９２】
これにより、消費電力は大きいが高品位の表示モードまたは表示フォーマットで表示を行うことで、上記の構成による効果に加えて、使用状態に対応した最適な表示と使用可能時間の最大化が可能となるという効果を奏する。
【０４９３】
また、本発明の電子機器は、上記の構成に加えて、待機時と動作時とで、表示モードまたは表示フォーマットを切り替える構成である。
【０４９４】
これにより、動作時の高表示品位と待機時の低消費電力性とを、同時に実現することができるので、上記の構成による効果に加えて、電子機器の視認性や操作性、利便性が大幅に向上するという効果を奏する。
【０４９５】
また、本発明の電子機器は、上記の構成に加えて、使用時の周辺の明るさに応じて、表示モードまたは表示フォーマットを切り替える構成である。
【０４９６】
これにより、消費電力を最小に抑えつつ、使用環境にマッチした表示を行うことが可能となり、それゆえ、上記の構成による効果に加えて、電子機器の視認性や操作性、利便性が大幅に向上するという効果を奏する。
【０４９７】
また、本発明の画像表示装置は、上記の構成に加えて、上記の互いに異なる表示形態としての複数の表示フォーマットとして、一方は他方よりも低消費電力である構成である。
【０４９８】
これにより、映像の種類や周囲環境に対して最適な表示方法および駆動方法を選択することで、上記の構成による効果に加えて、消費電力の最適化を図ることが可能となるという効果を奏する。
【０４９９】
また、本発明の画像表示装置は、上記の構成に加えて、上記複数の表示フォーマットとして、一方は他方よりも表示解像度が高い構成である。
【０５００】
これにより、複数のデータ信号線駆動線または複数の走査信号線駆動線に同時に同一信号を入力することで、低解像度表示時に動作する駆動回路のユニット数を削減することができ、それゆえ、上記の構成による効果に加えて、低解像度表示においては、動作回路の規模縮小と配線数の削減、駆動周波数の低減が図られ、画像表示装置の消費電力の削減が実現されるという効果を奏する。
【０５０１】
また、本発明の画像表示装置は、上記の構成に加えて、上記複数の表示フォーマットとして、一方はカラー表示であり、他方は白黒表示である構成である。
【０５０２】
これにより、複数のデータ信号線駆動線に同時に同一信号を入力することで、白黒表示時に動作する駆動回路のユニット数を削減することができ、それゆえ、上記の構成による効果に加えて、白黒表示においては、動作回路の規模縮小と配線数の削減が図られ、画像表示装置の消費電力の削減が実現されるという効果を奏する。
【０５０３】
また、本発明の画像表示装置は、上記の構成に加えて、上記データ信号線駆動回路の少なくとも一部分を複数個備え、上記複数のデータ信号線駆動回路の少なくとも一つにおいて、水平方向に連続する３色の複数の画素に対応するデータ信号線に同一の画像データを書き込む構成である。
【０５０４】
これにより、データ信号線駆動回路の出力数は１／３に減少するので、データ信号線駆動回路の回路規模が縮小するとともに、データ信号およびクロック信号の数または周波数も低下する。それゆえ、上記の構成による効果に加えて、データ信号線駆動回路における消費電力を削減することができるという効果を奏する。
【０５０５】
また、本発明の画像表示装置は、上記の構成に加えて、表示解像度が低いほうの表示フォーマットにおいて、連続する複数の走査信号線には、異なるタイミングで走査信号が書き込まれ、それぞれの走査期間において、データ信号線駆動回路から同一の画像データが出力される構成である。
【０５０６】
これにより、連続する複数の走査信号線に対応する走査期間に、同一の画像データがデータ信号線に書き込まれ、垂直方向に連続する画素で同一の画像データが表示される。それゆえ、上記の構成による効果に加えて、この画像表示装置の物理的な解像度よりも低い解像度での表示を行うことができるという効果を奏する。
【０５０７】
また、本発明の画像表示装置は、上記の構成に加えて、表示解像度が低いほうの表示フォーマットにおいて、連続する複数の走査信号線には、異なるタイミングで走査信号が書き込まれ、複数の走査期間を含む期間中、データ信号線駆動回路から出力された画像データが、各データ信号線において保持される構成である。
【０５０８】
これにより、データ信号線駆動回路からの映像データの出力サイクルを低減することができるため、この画像表示装置の物理的な解像度よりも低い解像度での表示が可能となることに加えて、データ信号線駆動回路における、データ信号およびクロック信号の数または周波数が低下する。それゆえ、上記の構成による効果に加えて、データ信号線駆動回路における消費電力を削減することができるという効果を奏する。
【０５０９】
また、本発明の画像表示装置は、上記の構成に加えて、表示解像度が低いほうの表示フォーマットにおいて、連続する複数の走査信号線には、異なるタイミングで走査信号が書き込まれ、それぞれの走査期間において、データ信号線駆動回路から、極性の異なる同一階調に相当する画像データが出力される構成である。
【０５１０】
これにより、連続する複数の走査信号線に対応する走査期間において、データ信号線駆動回路から、極性の異なる同一階調に相当する画像データが出力される。それゆえ、上記の構成による効果に加えて、水平ライン反転駆動法においても、表示品位に支障を来すことなく、物理的な解像度よりも低い解像度での表示が可能となるという効果を奏する。
【０５１１】
また、本発明の画像表示装置は、上記の構成に加えて、表示解像度が低いほうの表示フォーマットにおいて、各データ信号線に書き込まれる画像データは、１フレーム期間中、同一極性である構成である。
【０５１２】
これにより、複数の走査信号線に対応する走査期間において画像データをデータ信号線において保持したときにも、上下画素間の寄生容量による画素の電位変動の差は殆ど無くなる。それゆえ、上記の構成による効果に加えて、表示品位の劣化なしに、データ信号線駆動回路における消費電力を削減することができるという効果を奏する。
【産業上の利用可能性】
【０５１３】
本発明の画像表示装置は、例えば、携帯情報端末、携帯電話、ゲーム機、ビデオカメラ、スチルカメラ、電子書籍、ナビゲーションシステム、テレビ受像機、映像再生機器、コンピュータなど各種の電子機器に使用することができる。
【図面の簡単な説明】
【０５１４】
【図１】本発明に係る画像表示装置の構成例を示すブロック図である。
【図２】本発明に係る画像表示装置の他の構成例を示すブロック図である。
【図３】本発明に係る画像表示装置の他の構成例を示すブロック図である。
【図４】本発明に係る画像表示装置の他の構成例を示すブロック図である。
【図５】本発明に係る画像表示装置の他の構成例を示すブロック図である。
【図６】本発明に係る画像表示装置の他の構成例を示すブロック図である。
【図７】本発明に係る画像表示装置の他の構成例を示すブロック図である。
【図８】本発明に係る画像表示装置のタイミングチャートの例を示す説明図である。
【図９】本発明に係る画像表示装置のタイミングチャートの他の例を示す説明図である。
【図１０】本発明に係る画像表示装置のタイミングチャートの他の例を示す説明図である。
【図１１】本発明に係る画像表示装置のタイミングチャートの他の例を示す説明図である。
【図１２】本発明に係る画像表示装置のタイミングチャートの他の例を示す説明図である。
【図１３】本発明に係る画像表示装置のタイミングチャートの他の例を示す説明図である。
【図１４】（ａ）および（ｂ）は、本発明に係る画像表示装置の表示例を示す説明図である。
【図１５】（ａ）および（ｂ）は、本発明に係る画像表示装置の他の表示例を示す説明図である。
【図１６】本発明に係る画像表示装置のタイミングチャートの他の例を示す説明図である。
【図１７】（ａ）および（ｂ）は、本発明に係る画像表示装置の他の表示例を示す説明図である。
【図１８】本発明に係る画像表示装置を構成するデータ信号線駆動回路の構成例を示す説明図である。
【図１９】本発明に係る画像表示装置を構成するデータ信号線駆動回路の他の構成例を示す説明図である。
【図２０】本発明に係る画像表示装置の他の表示例を示す説明図である。
【図２１】本発明に係る画像表示装置の他の表示例を示す説明図である。
【図２２】本発明に係る画像表示装置のタイミングチャートの他の例を示す説明図である。
【図２３】本発明に係る画像表示装置のタイミングチャートの他の例を示す説明図である。
【図２４】本発明に係る画像表示装置を構成するデータ信号線駆動回路の他の構成例を示す説明図である。
【図２５】本発明に係る画像表示装置のタイミングチャートの他の例を示す説明図である。
【図２６】本発明に係る画像表示装置の他の構成例を示すブロック図である。
【図２７】本発明に係る画像表示装置の他の構成例を示すブロック図である。
【図２８】（ａ）および（ｂ）は、本発明に係る画像表示装置の他の構成例を示すブロック図である。
【図２９】（ａ）および（ｂ）は、本発明に係る画像表示装置の他の構成例を示すブロック図である。
【図３０】（ａ）および（ｂ）は、本発明に係る画像表示装置の一部である映像信号処理回路の動作例を示す説明図である。
【図３１】（ａ）および（ｂ）は、本発明に係る画像表示装置の一部であるタイミング回路の動作例を示す説明図である。
【図３２】本発明に係る画像表示装置の他の構成例を示すブロック図である。
【図３３】本発明に係る画像表示装置の他の構成例を示すブロック図である。
【図３４】本発明に係る画像表示装置の他の構成例を示すブロック図である。
【図３５】本発明に係る画像表示装置の他の構成例を示すブロック図である。
【図３６】本発明に係る画像表示装置の他の構成例を示すブロック図である。
【図３７】本発明に係る画像表示装置の他の構成例を示すブロック図である。
【図３８】本発明に係る画像表示装置の他の構成例を示すブロック図である。
【図３９】本発明に係る画像表示装置の他の構成例を示すブロック図である。
【図４０】本発明に係る画像表示装置の他の構成例を示すブロック図である。
【図４１】本発明に係る画像表示装置のタイミングチャートの他の例を示す説明図である。
【図４２】本発明に係る画像表示装置を構成する走査信号線駆動回路の他の構成例を示す説明図である。
【図４３】（ａ）および（ｂ）は、本発明に係る画像表示装置の例を示す説明図である。
【図４４】（ａ）および（ｂ）は、本発明に係る画像表示装置の他の例を示す説明図である。
【図４５】（ａ）および（ｂ）は、本発明に係る画像表示装置の他の表示例を示す説明図である。
【図４６】本発明に係る画像表示装置を構成するデータ信号線駆動回路の他の構成例を示す説明図である。
【図４７】本発明に係る画像表示装置を構成する走査信号線駆動回路の構成例を示す説明図である。
【図４８】本発明に係る画像表示装置を構成するデータ信号線駆動回路の他の構成例を示す説明図である。
【図４９】本発明に係る画像表示装置のタイミングチャートの他の例を示す説明図である。
【図５０】本発明に係る画像表示装置のタイミングチャートの他の例を示す説明図である。
【図５１】本発明に係る画像表示装置のタイミングチャートの他の例を示す説明図である。
【図５２】本発明に係る画像表示装置のタイミングチャートの他の例を示す説明図である。
【図５３】（ａ）および（ｂ）は、本発明に係る画像表示装置の他の表示例を示す説明図である。
【図５４】本発明に係る画像表示装置を構成するデータ信号線駆動回路の他の構成例を示す説明図である。
【図５５】（ａ）および（ｂ）は、本発明に係る画像表示装置の他の表示例を示す説明図である。
【図５６】（ａ）および（ｂ）は、本発明に係る画像表示装置の他の表示例を示す説明図である。
【図５７】本発明に係る画像表示装置を構成するデータ信号線駆動回路の他の構成例を示す説明図である。
【図５８】本発明に係る画像表示装置のタイミングチャートの他の例を示す説明図である。
【図５９】本発明に係る画像表示装置を構成するデータ信号線駆動回路の他の構成例を示す説明図である。
【図６０】本発明に係る画像表示装置を構成するデータ信号線駆動回路の他の構成例を示す説明図である。
【図６１】（ａ）および（ｂ）は、本発明に係る画像表示装置の他の構成例を示す説明図である。
【図６２】（ａ）および（ｂ）は、本発明に係る画像表示装置の他の表示例を示す説明図である。
【図６３】（ａ）および（ｂ）は、本発明に係る画像表示装置の他の表示例を示す説明図である。
【図６４】（ａ）および（ｂ）は、本発明に係る画像表示装置の他の例を示す説明図である。
【図６５】本発明に係る画像表示装置のタイミングチャートの他の例を示す説明図である。
【図６６】本発明に係る画像表示装置のタイミングチャートの他の例を示す説明図である。
【図６７】本発明に係る画像表示装置を構成する走査信号線駆動回路の他の構成例を示す説明図である。
【図６８】図６７に示す走査信号線駆動回路を構成する走査回路の構成例を示す説明図である。
【図６９】本発明に係る画像表示装置のタイミングチャートの他の例を示す説明図である。
【図７０】本発明に係る画像表示装置を構成するデータ信号線駆動回路の他の構成例を示す説明図である。
【図７１】図７０に示すデータ信号線駆動回路を構成する走査回路の構成例を示す説明図である。
【図７２】本発明に係る画像表示装置のタイミングチャートの他の例を示す説明図である。
【図７３】本発明に係る画像表示装置を構成する走査信号線駆動回路の他の構成例を示す説明図である。
【図７４】本発明に係る画像表示装置のタイミングチャートの他の例を示す説明図である。
【図７５】本発明に係る画像表示装置を構成するデータ信号線駆動回路の他の構成例を示す説明図である。
【図７６】本発明に係る画像表示装置の他の構成例を示すブロック図である。
【図７７】本発明に係る画像表示装置を構成する能動素子の例を示す断面図である。
【図７８】（ａ）ないし（ｋ）は、本発明に係る画像表示装置を構成する能動素子の製造工程の例を示す断面図である。
【図７９】本発明に係る電子機器の構成例を示す説明図である。
【図８０】（ａ）および（ｂ）は、本発明に係る電子機器の他の構成例を示す説明図である。
【図８１】（ａ）および（ｂ）は、本発明に係る電子機器の他の構成例を示す説明図である。
【図８２】本発明に係る電子機器の他の構成例を示す説明図である。
【図８３】本発明に係る電子機器の他の構成例を示す説明図である。
【図８４】本発明に係る電子機器の他の構成例を示す説明図である。
【図８５】本発明に係る電子機器の他の構成例を示す説明図である。
【図８６】（ａ）および（ｂ）は、本発明に係る電子機器の他の構成例を示す説明図である。
【図８７】本発明に係る電子機器の他の構成例を示す説明図である。
【図８８】本発明に係る電子機器の他の構成例を示す説明図である。
【図８９】本発明に係る電子機器の他の構成例を示す説明図である。
【図９０】本発明に係る電子機器の他の構成例を示す説明図である。
【図９１】本発明に係る電子機器の他の構成例を示す説明図である。
【図９２】本発明に係る電子機器の他の構成例を示す説明図である。
【図９３】従来の画像表示装置の構成例を示すブロック図である。
【図９４】図９３に示す画像表示装置における画素の内部構造例を示す説明図である。
【図９５】従来の画像表示装置を構成するデータ信号線駆動回路の例を示す回路図である。
【図９６】従来の画像表示装置を構成するデータ信号線駆動回路の他の構成例を示す説明図である。
【図９７】画像表示装置を構成するデータ信号線駆動回路の構成例を示す説明図である。
【図９８】画像表示装置を構成するデータ信号線駆動回路の構成例を示す説明図である。
【図９９】画像表示装置を構成するデータ信号線駆動回路の構成例を示す説明図である。
【図１００】従来の画像表示装置を構成する走査信号線駆動回路の例を示す回路図である。
【図１０１】従来の画像表示装置のタイミングチャートの例を示す説明図である。
【図１０２】従来の画像表示装置の他の構成例を示すブロック図である。
【符号の説明】
【０５１５】
１００    ガラス基板
１０２    多結晶シリコン薄膜
１０２ａ  チャネル領域
１０２ｂ  ソース領域
１０２ｃ  ドレイン領域
１０３    ゲート絶縁膜
１０４    ゲート電極
１０５    層間絶縁膜
１０５ａ  コンタクトホール
１０６    金属配線
１０８    レジスト
１１１    ｎ型領域
１１２    中心領域
１１３    ｐ型領域
１１４    中心領域
２０１    光センサー
２０２    本体
２０３    表示部
２０４    操作部
２０５    音声出力部
２０６    内蔵バッテリー
２１１    本体
２１２    表示部
２１３    操作部
２１４    音声出力部
２１５    音声入力部
２１６    アンテナ
２１７    内蔵バッテリー
２２１    本体
２２２    表示部
２２３    操作部
２２４    音声出力部
２２５    記憶媒体挿入部
２２６    内蔵バッテリー
２３１    本体
２３２    撮像部
２３４    表示部
２３５    操作部
２３６    記憶媒体挿入部
２３７    内蔵バッテリー
２４１    本体
２４２    撮像部
２４３    音声入力部
２４４    表示部
２４５    操作部
２４６    記憶媒体挿入部
２５１    本体
２５２    撮像部
２５３    表示部
２５４    操作部
２５５    記憶媒体挿入部
２５６    内蔵バッテリー
２６１    本体
２６２    表示部
２６３    操作部
２６４    記憶媒体挿入部
２６５    内蔵バッテリー
２７１ａ  本体
２７１ｂ  本体
２７２    表示部
２７３    音声出力部
２７４    操作部
２７５    記憶媒体挿入部
２８１    本体
２８２    表示部
２８３    音声出力部
２８４    操作部
２８５    アンテナ
２８６    入出力端子
２８７    内蔵バッテリー
２９１    本体
９２    表示部
２９３    音声出力部
２９４    操作部
２９５    記憶媒体挿入部
２９６    入出力端子
２９７    内蔵バッテリー
３０１    本体
３０２    表示部
３０３    音声出力部
３０４    操作部
３０５    入出力端子
３０６    記憶媒体挿入部
３０７    内蔵バッテリー
ＡＭＰ    アナログアンプ（アンプ回路）
ＡＲＹ    画素アレイ
ＡＳ      アナログスイッチ（選択スイッチ）
ＣＬＫ    クロック信号
ＣＯＭ    コモン端子
ＣＴＬ    タイミング回路（表示形態切り替え手段）
ＤＡ      デジタル−アナログ変換回路
ＤＡＣ    中間電位生成回路
ＤＢ、ＤＷ    ２値映像信号用基準信号
ＤＡＴ、ＤＡＴ１、ＤＡＴ２    映像信号
ＤＩＧ    デジタル映像信号
ＤＩＮ    入力映像信号
ＤＬＶ    映像レベル
ＦＦ      フリップフロップ
ＦＭＴ    表示フォーマット制御信号
ＧＣＫ    クロック信号
ＧＣＳ１、ＧＣＳ２    選択信号
ＧＤ、ＧＤ１、ＧＤ２    走査信号線駆動回路
ＧＤＢ１、ＧＤＢ２    走査信号出力回路
ＧＥＮ、ＧＥＮ１、ＧＥＮ２    イネーブル信号
ＧＦＤ    全段駆動用制御信号
ＧＬ      走査信号線
ＧＰＤ    部分駆動用制御信号
ＧＲＳ    リセット信号
ＧＳＴ、ＧＳＴ１、ＧＳＴ２    スタート信号
ＧＳＲ    シフトレジスタ回路
ＩＭＤ    スーパーインポーズ映像信号
ＩＭＰ    スーパーインポーズ制御信号
ＪＤＧ    判別回路（映像種類判別手段）
ＬＴ、ＬＡＴ    ラッチ回路
ＭＵＸ    マルチプレクサ
ＩＸ    画素
ＳＣＫ    クロック信号
ＳＣＳ１、ＳＣＳ２    選択信号
ＳＤ、ＳＤ１、ＳＤ２    データ信号線駆動回路
ＳＤＢ１、ＳＤＢ２    データ信号出力回路
ＳＤＳＷ  スイッチ（駆動回路分離手段）
ＳＥＬ    制御信号
ＳＥＮ    検知回路（検知手段）
ＳＦＤ    全段駆動用制御信号
ＳＬ      データ信号線
ＳＬＴ    切り替えスイッチ（タイミング信号供給先切り替え手段）
ＳＬＤ    切り替えスイッチ（映像信号供給先切り替え手段）
ＳＰＤ    部分駆動用制御信号
ＳＲＳ    リセット信号
ＳＳＴ、ＳＳＴ１、ＳＳＴ２    スタート信号
ＳＳＲ    シフトレジスタ回路
ＳＴ      選択回路（選択スイッチ）
ＳＵＢ    基板
ＳＷＴ    選択スイッチ
ＴＦＧ    転送ゲート
ＴＧ      制御スイッチ
ＴＩＮ    入力タイミング信号
ＶＧＥＮ  電源回路
ＶＧＥＮＳＷ  スイッチ
ＶＩＤ    映像信号処理回路（表示形態切り替え手段）
ＶＲＥＦ  映像信号用基準電位
ＶＳＥＬ  基準電圧選択回路
【図１】
2006251820.tif 000003
【図２】
2006251820.tif 000004
【図３】
2006251820.tif 000005
【図４】
2006251820.tif 000006
【図５】
2006251820.tif 000007
【図６】
2006251820.tif 000008
【図７】
2006251820.tif 000009
【図８】
2006251820.tif 000010
【図９】
2006251820.tif 000011
【図１０】
2006251820.tif 000012
【図１１】
2006251820.tif 000013
【図１２】
2006251820.tif 000014
【図１３】
2006251820.tif 000015
【図１４】
2006251820.tif 000016
【図１５】
2006251820.tif 000017
【図１６】
2006251820.tif 000018
【図１７】
2006251820.tif 000019
【図１８】
2006251820.tif 000020
【図１９】
2006251820.tif 000021
【図２０】
2006251820.tif 000022
【図２１】
2006251820.tif 000023
【図２２】
2006251820.tif 000024
【図２３】
2006251820.tif 000025
【図２４】
2006251820.tif 000026
【図２５】
2006251820.tif 000027
【図２６】
2006251820.tif 000028
【図２７】
2006251820.tif 000029
【図２８】
2006251820.tif 000030
【図２９】
2006251820.tif 000031
【図３０】
2006251820.tif 000032
【図３１】
2006251820.tif 000033
【図３２】
2006251820.tif 000034
【図３３】
2006251820.tif 000035
【図３４】
2006251820.tif 000036
【図３５】
2006251820.tif 000037
【図３６】
2006251820.tif 000038
【図３７】
2006251820.tif 000039
【図３８】
2006251820.tif 000040
【図３９】
2006251820.tif 000041
【図４０】
2006251820.tif 000042
【図４１】
2006251820.tif 000043
【図４２】
2006251820.tif 000044
【図４３】
2006251820.tif 000045
【図４４】
2006251820.tif 000046
【図４５】
2006251820.tif 000047
【図４６】
2006251820.tif 000048
【図４７】
2006251820.tif 000049
【図４８】
2006251820.tif 000050
【図４９】
2006251820.tif 000051
【図５０】
2006251820.tif 000052
【図５１】
2006251820.tif 000053
【図５２】
2006251820.tif 000054
【図５３】
2006251820.tif 000055
【図５４】
2006251820.tif 000056
【図５５】
2006251820.tif 000057
【図５６】
2006251820.tif 000058
【図５７】
2006251820.tif 000059
【図５８】
2006251820.tif 000060
【図５９】
2006251820.tif 000061
【図６０】
2006251820.tif 000062
【図６１】
2006251820.tif 000063
【図６２】
2006251820.tif 000064
【図６３】
2006251820.tif 000065
【図６４】
2006251820.tif 000066
【図６５】
2006251820.tif 000067
【図６６】
2006251820.tif 000068
【図６７】
2006251820.tif 000069
【図６８】
2006251820.tif 000070
【図６９】
2006251820.tif 000071
【図７０】
2006251820.tif 000072
【図７１】
2006251820.tif 000073
【図７２】
2006251820.tif 000074
【図７３】
2006251820.tif 000075
【図７４】
2006251820.tif 000076
【図７５】
2006251820.tif 000077
【図７６】
2006251820.tif 000078
【図７７】
2006251820.tif 000079
【図７８】
2006251820.tif 000080
【図７９】
2006251820.tif 000081
【図８０】
2006251820.tif 000082
【図８１】
2006251820.tif 000083
【図８２】
2006251820.tif 000084
【図８３】
2006251820.tif 000085
【図８４】
2006251820.tif 000086
【図８５】
2006251820.tif 000087
【図８６】
2006251820.tif 000088
【図８７】
2006251820.tif 000089
【図８８】
2006251820.tif 000090
【図８９】
2006251820.tif 000091
【図９０】
2006251820.tif 000092
【図９１】
2006251820.tif 000093
【図９２】
2006251820.tif 000094
【図９３】
2006251820.tif 000095
【図９４】
2006251820.tif 000096
【図９５】
2006251820.tif 000097
【図９６】
2006251820.tif 000098
【図９７】
2006251820.tif 000099
【図９８】
2006251820.tif 000100
【図９９】
2006251820.tif 000101
【図１００】
2006251820.tif 000102
【図１０１】
2006251820.tif 000103
【図１０２】
2006251820.tif 000104